(57)【特許請求の範囲】
【請求項１】
空調装置は、
吸気口及び排気口を有するハウジングと、
前記吸気口を通じて前記ハウジング内に空気を引き込み、前記排気口を通じて前記ハウジングから空気を排出するように配置された主要ファンと、
前記排気口を通じて前記ハウジングから排出されている空気の方向を変更するために、前記排気口周辺の空気を前記ハウジング内に引き込むように配置された補助ファンと、
前記補助ファンによって前記ハウジング内に引き込まれた空気を案内するように配置された案内路とを備える空調装置。
【請求項２】
前記ハウジングは、前記吸気口及び前記排気口を有する底部ハウジングと、前記底部ハウジングに隣接して設けられる中間ハウジングとを含み、前記案内路は、前記中間ハウジングと前記底部ハウジングの間に形成される請求項１に記載の空調装置。
【請求項３】
前記ハウジングは、前記排気口周辺の空気を前記案内路に引き込む流入穴と、前記案内路から空気を排出する排出穴とを含む請求項１に記載の空調装置。
【請求項４】
前記流入穴は、前記排気口より前記空調装置の中央から離れて位置づけられ、前記排出穴は、前記排気口より前記空調装置の前記中央に近接して位置づけられる請求項３に記載の空調装置。
【請求項５】
前記案内路は、前記排気口周辺の空気を前記排気口が延びる第１方向に案内する第１通路と、前記第１通路からの空気を前記第１方向とは異なる第２方向に案内する第２通路とを含む請求項１に記載の空調装置。
【請求項６】
前記ハウジングは、他の排気口を有し、
前記ハウジングの前記排気口は、互いに離間しており、
前記第２通路は、前記ハウジングの前記排気口間に形成される請求項５に記載の空調装置。
【請求項７】
前記空調装置は、他の補助ファンと、他の第１通路及び他の第２通路を含む他の案内路とを含み、
前記第１通路及び前記第２通路は、前記補助ファンに対応し、前記他の第１通路及び前記他の第２通路は、前記他の補助ファンに対応する請求項５に記載の空調装置。
【請求項８】
前記ハウジングは、前記第１通路及び前記他の第１通路を分割するように配置された区画を含む請求項７に記載の空調装置。
【請求項９】
前記案内路の前記第１通路は、前記補助ファンに対して対称であり、前記他の案内路の前記他の第１通路は、前記他の補助ファンに対して対称である請求項７に記載の空調装置。
【請求項１０】
前記ハウジングは、前記第１通路と前記第２通路を接合する案内部分を含み、前記第１通路から前記第２通路へ流動する空気の方向が、前記案内部分で変化する請求項５に記載の空調装置。
【請求項１１】
前記ハウジングは、前記排気口間に配され、前記第２通路を形成するブリッジを含む請求項６に記載の空調装置。
【請求項１２】
前記補助ファンを収容するファンケースをさらに備え、前記ファンケースは、前記ブリッジ上に配置される請求項１１に記載の空調装置。
【請求項１３】
情報を表示するように構成され、前記ブリッジ上に配されるディスプレイをさらに備える請求項１１に記載の空調装置。
【請求項１４】
前記排気口及び前記流入穴は、各々、円弧形状を有する請求項３に記載の空調装置。
【発明の詳細な説明】
【技術分野】
【０００１】
以下の説明は、空調装置と、ブレード構造を伴うことなく排出気流を制御する同空調装置の制御方法とに関連する。
【背景技術】
【０００２】
空調装置（ＡＣ）は、冷凍サイクルを使用して室内温度、湿度、気流等を制御するための、コンプレッサと、コンデンサと、膨張弁と、蒸発器と、送風機等を備える。ＡＣは、２つの別個の部分、すなわち室内に設置される室内部と室外に設置される室外部とを有する分割ＡＣと、単一のハウジング内に位置付けられる室内部と室外部とを有するパッケージＡＣとに分類されることもある。
【０００３】
ＡＣ室内部は、冷媒と空気との間で熱交換を行う熱交換器と、空気を循環させる送風機と、室内の冷却又は加熱を行うために送風機を駆動するモータとを含む。
【０００４】
ＡＣ室内部は、熱交換器によって冷却又は加熱された空気を様々な方向に排出するために排出された気流を制御する構造を有することもある。排出された気流を制御する構造は、一般的に、排気口に備えられた垂直ブレード又は水平部ブレードと、ブレードを回転駆動する駆動システムとを含むこともある。ＡＣ室内部は、ブレードの回転角度を制御することにより、気流の方向を制御する。
【発明の概要】
【発明が解決しようとする課題】
【０００５】
ブレードを使用して排出された気流を制御する構造では、ブレードが気流に干渉するため、排出された空気の量が低減することもあり、ブレード周囲に生じる乱流が故に循環ノイズが増加することもある。さらに、ブレードの枢動が直線状に形成されるため、排気口の形状が直線形状に制限されてしまう。
【課題を解決するための手段】
【０００６】
本開示の一態様によると、空調装置（ＡＣ）は、及び排気口を有するハウジングと、前記吸気口から空気を引き込み、前記排気口に空気を排出する主要ファンと、前記排気口から排出された空気の方向を変更するために、前記排気口周辺の空気を引き込むように配置された補助ファンと、前記補助ファンによって引き込まれた空気を案内する案内路とを備える。
【０００７】
前記ハウジングは、前記吸気口及び前記排気口を有する底部ハウジングと、前記底部ハウジングの上部に設けられる中間ハウジングとを含んでもよく、前記案内路は、前記中間ハウジングと前記底部ハウジングの間に形成されてもよい。
【０００８】
前記ハウジングは、前記排気口周辺の空気を前記案内路内に引き込む流入穴と、前記案内路から空気を排出する排出穴とを含んでもよい。
【０００９】
前記流入穴は、前記排気口より前記空調装置の中央から離れて位置づけられてもよく、前記排出穴は、前記排気口より前記空調装置の前記中央に近接して位置づけられる。
【００１０】
前記案内路は、前記排気口周辺の空気を前記排気口が延びる第１方向に案内する第１通路と、前記第１通路からの空気を前記第１方向とは異なる第２方向に案内する第２通路とを含んでもよい。
【００１１】
前記ハウジングは、他の排気口を有してもよく、前記ハウジングの前記排気口は、互いに離間してもよく、前記第２通路は、前記ハウジングの前記排気口間に形成されてもよい。
【００１２】
前記空調装置は、他の補助ファンと、他の第１通路及び他の第２通路を含む他の案内路とを含んでもよく、前記第１通路及び前記第２通路は、各々、前記補助ファンに対応する。
【００１３】
前記ハウジングは、前記第１通路を分割する区画を含んでもよい。
【００１４】
前記第１通路は、各々、対応する前記補助ファンに対して対称であってもよい。
【００１５】
前記ハウジングは、前記第１通路から前記第２通路へ流動する空気の方向を前記案内部分で変化させるために、前記第１通路と前記第２通路が接合する点に配置された案内部分を含んでもよい。
【００１６】
前記ハウジングは、前記排気口間に配され、前記第２通路を形成するブリッジを含んでもよい。
【００１７】
前記ＡＣは、前記補助ファンを収容するファンケースをさらに含んでもよく、前記ファンケースは、前記ブリッジ上に配置されてもよい。
【００１８】
前記ＡＣは、情報を表示する表示部をさらに含んでもよく、前記表示部は、前記ブリッジ上に搭載されてもよい。
【００１９】
前記排気口及び前記流入穴は、各々、円弧形状を有してもよい。
【００２０】
本開示の一態様によると、空調装置（ＡＣ）は、吸気口及び排気口を有するハウジングと、前記ハウジング内に配置された熱交換器と、前記熱交換器で熱交換を施すために前記吸気口の空気を前記熱交換器に引き込み、前記排気口から熱交換済みの空気を排出する主要ファンと、前記熱交換器で凝結された水を収集するように配置されたドレイントレイとを備え、前記ドレイントレイは、前記排気口に排出される空気が通過するドレイントレイ排気口と、前記ドレイントレイ排気口内に配置された排出案内リブとを備える。
【００２１】
前記排出案内リブは、前記ドレイントレイ排気口が延びた第１方向に延びる第１排出案内リブと、前記第１方向とは異なる第２半径方向に延びる第２排出案内リブとを含んでもよい。
【００２２】
前記ハウジングは、前記第２排出案内リブに対応して前記第２方向に延びるように配置されたハウジング排出案内リブを含んでもよい。
【００２３】
本開示に一態様において、空調装置（ＡＣ）は、吸気口及び排気口を有するハウジングと、前記ハウジング内に配置された熱交換器と、前記熱交換器で熱交換を施すために前記吸気口の空気を前記熱交換器に引き込み、前記排気口から熱交換済みの空気を排出する主要ファンと、前記熱交換器で凝結された水を収集するように配置され、前記吸気口に引き込まれた空気が通過する開口を有するドレイントレイと、電子部品を収容するために半径方向において前記開口の周囲の外側に配置され、前記開口の周囲に対応する湾曲部分を有する制御ケースを備含む。
【００２４】
前記ＡＣは、前記吸気口上に組み付けられ、前記吸気口を通じて前記主要ファンに引き込まれた空気を案内するための吸引路を有する吸引案内部をさらに含んでもよい。
【００２５】
前記制御ケースは、前記ドレイントレイと前記吸引案内部の間に配置されてもよい。
【発明の効果】
【００２６】
本開示の実施形態によると、ＡＣ室内部は、ブレードを伴うことなく、排気口周辺から空気を吸引することにより、排出された気流を制御してもよい。
【００２７】
ＡＣ室内部は、ブレードを伴うことなく、排出された気流を制御するため
ブレードによる干渉が故に排出量が低減することを減少させてもよい。
【００２８】
ＡＣ室内部は、ブレードを伴うことなく、排出された気流を制御するため、循環ノイズを低減させてもよい。
【００２９】
さらに、ＡＣ室内部の排気口は、従来の直線形状のみならず、円形及び湾曲形状等、その他の様々な形状で実現されてもよい。
【００３０】
ＡＣは、排気口から排出された空気が、吸気口内に吸い戻されることも防いでよい。
【００３１】
ＡＣは、排気口から排出された空気が吸気口内に吸い戻されることを防ぐことにより、凝結が内部で形成されることも防いでよい。
【００３２】
ＡＣは、排出された空気が届く範囲を広げることにより、ユーザの感じる効果的性能を向上してもよい。
【００３３】
ＡＣは、冷却／加熱効率も上昇させてよい。
【００３４】
また、ＡＣの吸引案内部により、吸引案内部によって吸引された空気の通路が向上し、気流の増加とノイズの低下を導く。
【００３５】
さらに、気流を向上するＡＣの制御ケースにより、気流が増加し、ノイズが低下する。
【図面の簡単な説明】
【００３６】
【図１】本開示の一実施形態に係る空調装置（ＡＣ）室内部を示す。
【図２】図１のＡＣ室内部の側方横断面図を示す
【図３】図２の「〇」の部分の拡大図である。
【図４】図２の線Ｉ−Ｉに沿って切り出した横断面平面図である。
【図５】図２の線ＩＩ−ＩＩに沿って切り出した横断面平面図である。
【図６】本開示の一実施形態に係るＡＣ制御システムのブロック図である。
【図７】本開示の一実施形態に係るＡＣ室内部の側方横断面図である。
【図８】本開示の一実施形態に係るＡＣ室内部の側方横断面図である。
【図９】本開示の一実施形態に係るＡＣ室内部の横断面平面図である。
【図１０】本開示の一実施形態に係る室内部の横断面平面図である。
【図１１】本開示の一実施形態に係るＡＣ室内部を示す。
【図１２】図１１のＡＣ室内部の側方横断面図を示す。
【図１３】本開示の一実施形態に係るＡＣ室内部の斜視図である。
【図１４】図１３のＡＣ室内部の一部を示す側方横断面図である。
【図１５】本開示の気流制御装置の流入穴の一例を図４との比較において示しており、流入穴が複数の穴で形成されている。
【図１６】本開示の気流制御装置の流入穴の一例を図４との比較において示しており、流入穴が可変幅を有するように形成されている。
【図１７】本開示の気流制御装置の流入穴の一例を図４との比較において示しており、流入穴が可変幅を有するように形成されている。
【図１８】本開示の気流制御装置の流入穴の一例を図４との比較において示しており、流入穴が半径方向に延びる複数のスリットで形成されている。
【図１９】本開示の気流制御装置の流入穴の一例を図４との比較において示しており、流入穴が複数のスリットで形成されている。
【図２０】本開示の一実施形態に係るＡＣ室内部の主要部分を図７との比較において示す横断面図である。
【図２１】本開示の一実施形態に係るＡＣ室内部の主要部分を図２０との比較において示す横断面図である。
【図２２】本開示の一実施形態に係るＡＣ室内部の主要部分を図２０との比較において示す横断面図である。
【図２３】本開示の一実施形態に係るＡＣ室内部の主要部分を図２０との比較において示す横断面図である。
【図２４】本開示の一実施形態に係るＡＣ室内部の主要部分を図２１との比較において示す横断面図である。
【図２５】本開示の一実施形態に係るＡＣ室内部の主要部分を図２１との比較において示す横断面図である。
【図２６】本開示の一実施形態に係るＡＣの斜視図である。
【図２７】図２６に示されるＡＣの底面図である。
【図２８】図２６に示されるＡＣの展開図である。
【図２９】図２７に示される線Ｉ−Ｉに沿って切り出された側方横断面である。
【図３０】図２６のＡＣの一実施形態である。
【図３１】図２６のＡＣの一実施形態である。
【図３２】図２６のＡＣの一実施形態である。
【図３３】図２８に示されるドレイントレイの斜視図である。
【図３４】図３３に示される排出案内リブの折畳解消図である。
【図３５】図３４に示される排出案内リブの一実施形態である。
【図３６】図３３に示される排出案内リブの一実施形態である。
【図３７】図２９において特定される「〇」の部分の拡大図である。
【図３８】図２８に示される中間ハウジングと底部ハウジングとに展開された図である。
【図３９】図２６に示されるＡＣの気流制御装置による空気循環を示す。
【図４０】図２６のＡＣの表示部が配置された部分の横断面図である。
【図４１】図２６に示されるＡＣの排出穴を示す。
【図４２】排気口の半径方向から見た図４１の排出穴の一実施形態を示す。
【図４３】排気口の半径方向から見た図４１の排出穴の一実施形態を示す。
【図４４】図４１の排出穴の一実施形態の斜視図である。
【図４５】図４１の排出穴の一実施形態の斜視図である。
【図４６】図２６に示されるグリルをなくしたＡＣの底面図である。
【図４７】図４６において特定された「Ａ」の部分を下方から斜めに見た図である。
【図４８】図４６において特定された「Ｂ」の部分を下方から斜めに見た図である。
【図４９】図４８の底部ハウジングの一実施形態である。
【図５０】図４８の底部ハウジングの一実施形態である。
【図５１】図２９において特定された線ＩＩ−ＩＩに沿って切り出された横断面図である。
【図５２】図２８に示される中間ハウジングの底面図である。
【図５３】図５１の中間ハウジングの一実施形態である。
【図５４】図５１の中間ハウジングの一実施形態である。
【図５５】図５１の中間ハウジングの一実施形態である。
【図５６】図５１の底部ハウジングの一実施形態である。
【図５７】図２６のＡＣの一実施形態である。
【図５８】図２６のＡＣの一実施形態である。
【図５９】本開示の一実施形態に係るＡＣ室内部の斜視図である。
【図６０】図５９において特定される線Ｉ−Ｉに沿って切り出された側方横断面図である。
【図６１】本開示の一実施形態に係るＡＣの展開図である。
【図６２】本開示の一実施形態に係るＡＣの底部ハウジングの展開図である。
【図６３】本開示の一実施形態に係る第２底部ハウジングをなくしたＡＣの底面図である。
【図６４】図６０に示されるものの一部の拡大図である。
【図６５】本開示の一実施形態に係るＡＣの分離吸引パネルの斜視底面図である。
【図６６】本開示の一実施形態に係るＡＣの吸引案内部の部分横断面図である。
【図６７】本開示の一実施形態に係るＡＣのいくつかの部分の展開図である。
【図６８】本開示の一実施形態に係るＡＣの吸引案内部の部分横断面図である。
【図６９】本開示の一実施形態に係る制御ケースの展開図である。
【図７０】本開示の一実施形態に係るプリント回路基板（ＰＣＢ）の見取図である。
【図７１】本開示の一実施形態に係る制御ケースの下方ケースに組み立てられたＰＣＢの見取図である。
【図７２】本開示の一実施形態に係るワイヤホルダに保持されたワイヤを示す。
【図７３】本開示の一実施形態に係るワイヤホルダに保持されたワイヤを示す。
【図７４】本開示の一実施形態に係るワイヤホルダに保持されたワイヤを示す。
【図７５】本開示の一実施形態に係るワイヤホルダに保持されたワイヤを示す。
【発明を実施するための形態】
【００３７】
以降、実施形態を詳細に参照すると、その例が添付の図面に示されており、図面全体を通じて、同様の参照符号で同様の要素を示している。これらの図面を参照することにより、本開示を説明するための実施形態について以下に説明する。
【００３８】
以降、本開示の実施形態を詳細に説明する。
【００３９】
図１は、本開示の一実施形態に係る空調装置（ＡＣ）室内部を示す。図２は、図１のＡＣ室内部の側方横断面図を示す。図３は、図２の「〇」の部分の拡大図である。図４は、図２の線Ｉ−Ｉに沿って切り出した横断面平面図である。図５は、図２の線ＩＩ−ＩＩに沿って切り出した横断面平面図である。技術的なことをいうと、図２の側方横断面図は、図３の線ＩＩＩ−ＩＩＩに沿って切り出した回転断面図である。
【００４０】
図１〜図５を参照して、本開示の一実施形態に係るＡＣ室内部について説明する。
【００４１】
ＡＣ室内部１は、天井Ｃに設置されてもよい。ＡＣ室内部１の少なくとも一部は、天井Ｃに組み込まれてもよい。
【００４２】
ＡＣ室内部１は、吸気口２０及び排気口２１を有するハウジング１０と、ハウジング１０内部に配置された熱交換器３０と、空気を循環させる送風機ファン４０とを含んでもよい。
【００４３】
垂直方向に見ると、ハウジング１０は、略円形状を有してもよい。ハウジング１０は、上部ハウジング１１と、上部ハウジング１１の底部に組み付けられた中間ハウジング１２と、中間ハウジング１２の底部に組み付けられた底部ハウジング１３とを含んでもよい。上部ハウジング１１及び中間ハウジング１２のうちの少なくとも一部は、天井Ｃに組み込まれてもよい。
【００４４】
空気を吸引する吸気口２０は、底部ハウジング１３の中央に形成されてもよく、空気を排出する排気口２１は、吸気口２０の周辺且つ外側に形成されてもよい。垂直方向に見ると、排気口２１は、略円形状を有してもよい。具体的には、排気口２１は、垂直方向から見ると、ブリッジ７０ｄによって互いに離間した複数の円弧を含んでもよい。
【００４５】
ＡＣ室内部１は、この構造により、底部の空気を吸引し、その空気を冷却又は加熱し、冷却又は加熱した空気を底部から排出してもよい。
【００４６】
底部ハウジング１３は、排気口２１を通じて排出された空気を案内するコアンダ湾曲部分１４を有してもよい。コアンダ湾曲部分１４は、コアンダ湾曲部分１４に密接し、コアンダ湾曲部分を流動するように、排気口２１を通じて排出された気流を案内してもよい。
【００４７】
グリル１５は、吸気口２０内に吸引された空気から埃をフィルタリングして取り除くために、底部ハウジング１３の底部上に組み付けられてもよい。
【００４８】
熱交換器３０は、図５に示される通り、内部に冷媒が循環するチューブ３２と、外部冷媒チューブに接続されてチューブ３２に冷媒を供給するか、又はチューブ３２から冷媒を収集するヘッダ３１とを含んでもよい。チューブ３２は、熱放射面積を拡大するための熱交換ピンを有してもよい。
【００４９】
垂直方向から見ると、熱交換器３０は、略円形状を有してもよい。具体的には、熱交換器３０のチューブ３２は、円形状を有してもよい。熱交換器３０は、熱交換器３０内に生成された凝結水がドレイントレイ１６内で収集されるように、ドレイントレイ１６上に据え付けられてもよい。
【００５０】
送風機ファン４０は、熱交換器３０の半径方向において、内側に位置付けられてもよい。送風機ファン４０は、軸方向に空気を吸引し、半径方向に空気を解放する遠心ファンであってもよい。ＡＣ室内部１は、送風機ファン４０を駆動する送風機モータ４１を含んでもよい。送風機ファン４０は、主要ファンと称されることもあり、後述の気流制御ファン６０は、補助ファンと称されることもある。
【００５１】
この構造により、ＡＣ室内部１は、室内の空気を吸引し、この空気を冷却又は加熱した後、その冷却又は加熱した空気を室内に再び解放してもよい。
【００５２】
ＡＣ室内部１は、さらに、排出された気流を制御するための気流制御装置５０を含んでもよい。
【００５３】
気流制御装置５０は、圧力を変更するために、排気口２１周辺の空気を吸引することにより、排出された気流の方向を制御してもよい。さらに、気流制御装置５０は、排気口２１周辺の空気の吸引量を制御してもよい。換言すると、気流制御装置５０は、排気口２１周辺の空気の吸引量を制御することにより、排出された気流の方向を制御してもよい。
【００５４】
本明細書において、排出された気流の方向を制御することは、排出された気流の角度を制御することとも称される。
【００５５】
排気口２１周辺の空気を吸引する際、気流制御装置５０は、排出された気流が流動する方向の一方側から空気を吸引してもよい。
【００５６】
具体的には、図３に示される通り、気流制御装置５０の非駆動時、排出された気流が流動する方向が方向Ａ１と示されるとすると、気流装置５０は、駆動時、方向Ａ１の一方側から空気を吸引（Ｓ）することにより、方向Ａ２に流動するように排出された気流の方向を変更してもよい。
【００５７】
この時、方向変化角度は、空気吸引量に基づいて制御されてもよい。例えば、空気吸引量が減るほど、方向変更角度が小さくなり、空気吸引量が増えるほど、方向変更角度が大きくなる。
【００５８】
気流制御装置５０は、排出された気流が流動する方向Ａ１の一方側に吸引された空気を排出（Ｄ）してもよい。特に、気流制御装置５０は、空気が吸引された方向と反対方向に空気を排出してもよい。これを行うことにより、気流排出角度を拡大することにより、気流をより円滑に制御してもよい。
【００５９】
気流制御装置５０は、排気口２１の半径方向の外側から（又は排出された気流の上方から）空気を吸引してもよい。このように、気流制御装置５０は、排気口２１の半径方向の外側から空気を吸引するため、排出された気流は、排気口２１の半径方向の中央部分から半径方向の外側に向かって広範に広がってもよい。
【００６０】
気流制御装置５０は、排気口２１の周辺の空気を吸引する吸引力を生じるための気流制御ファン６０と、気流制御ファン６０を駆動する気流制御モータ６１と、気流制御ファン６０によって吸入される空気を案内する案内路７０とを含んでもよい。
【００６１】
気流制御ファン６０は、ファンケース６２内に収容されてもよい。本実施形態において、各々、１２０度で形成された３つの気流制御ファン６０が設けられてもよい。気流制御ファン６０は、これに限定されるものでなく、様々な配置でより多くの気流制御ファン６０が設計されてもよく、又はより少ない気流制御ファン６０が設計されてもよい。
【００６２】
本実施形態において、気流制御ファン６０は、遠心ファンに対応するが、これに限定されるものでなく、気流制御ファン６０には、軸流ファン、横流ファン、混合流ファン等、様々なファンも使用されてよい。
【００６３】
案内路７０は、排気口２１の周辺の空気を吸引する流入穴７１を、吸引した空気を排出する排出穴７２に接続する。吸気口２０を排気口２１に接続する通路が主要路と称される時、案内路７０は、この主要路から枝分かれすることによって形成されたと言われてもよい。
【００６４】
流入穴７１は、底部ハウジング１３のコアンダ湾曲部分１４上に形成されてもよい。従って、気流制御ファン６０の吸引力に応じて底部ハウジング１３の流入穴７１に向かって屈曲した排出気流は、コアンダ湾曲部分１４の表面に亘って流動してもよい。
【００６５】
流入穴７１は、複数の円弧形状スリットで形成されてもよい。この複数のスリットは、所定の間隔で互いに離間して周方向に配置されてもよい。
【００６６】
排出穴７２は、流入穴７１の反対側において、排気口２１の周辺に位置付けられてもよい。具体的には、排出穴７２は、ファンケース６２内に形成されてもよい。
【００６７】
上述の通り、気流制御装置５０は、この構造により、排出された気流が流動する方向Ａ１の一方側に空気を排出（Ｄ）してもよい。特に、気流制御装置５０は、吸引方向の反対方向に空気を排出することにより、気流排出角度を拡大し、気流をより円滑に制御してもよい。
【００６８】
案内路７０は、ハウジング１０の外側において、周方向に形成され、流入穴７１に注ぎ込む第１通路７０ａと、第１通路７０ａから半径方向の内側に延びる第２通路７０ｂと、ファンケース６２内に形成された第３通路７０ｃとを含んでもよい。第２通路７０ｂは、排気口２１を横断するブリッジ７０ｄ内に形成されてもよい。
【００６９】
従って、流入穴７１を通じて吸引された空気は、第１通路７０ａ、第２通路７０ｂ、及び第３通路７０ｃを通じて、排出穴７２から排出されてもよい。
【００７０】
しかしながら、案内路７０の構造は、単なる例示であり、案内路７０が流入穴７１及び排出穴７２を接続する限り、案内路７０の構造、形状、及び配置を限定するものでない。
【００７１】
この構造により、本開示の実施形態に係るＡＣ室内部は、ブレードが排気口内に配置されて、ブレードを回転することによって気流が制御される従来のＡＣ室内部に比較して、ブレード構造を伴うことなく排出された気流を制御してもよい。従って、ブレードによる干渉がないため、排出量が増加し、循環ノイズが低減してもよい。
【００７２】
さらに、ブレードを回転させるために直線形状に形成されなければならない排気口を有する従来のＡＣ室内部とは対照的に、本開示の実施形態に係るＡＣ室内部は、円形状に形成されてもよい排気口を有し、従ってハウジング及び熱交換器が円形状に形成されてもよく、設計を異ならせることで外観の審美性を向上してもよい。さらに、一般的な送風機ファンの形状が円形であることを考慮すると、本開示の実施形態では、空気がより自然に流動し、圧力損失が低減し、結果として、ＡＣの冷却性能又は加熱性能が向上されてもよい。
【００７３】
図６は、本開示の一実施形態に係るＡＣ制御システムのブロック図である。
【００７４】
ＡＣは、一般的動作を制御するコントローラ９２と、動作命令を受信する入力部９０と、外気温度を検出する外気温度センサ９１ａと、室内温度を検出する室内温度センサ９１ｂと、蒸発器の温度を検出する蒸発器温度センサ９１ｃと、様々な情報を外部に示すインジケータ部９３と、コンプレッサ９５を駆動するコンプレッサドライバ９４と、電気膨張弁９６と、送風機ファン４０を駆動する送風機ファンドライバ９７と、気流制御ファン６０を駆動する気流制御ファンドライバ９８とを含んでもよい。
【００７５】
コントローラ９２は、入力部９０、外気温度センサ９１ａ、室内温度センサ９１ｂ、及び蒸発器温度センサ９１ｃからの様々な動作命令及び／又は温度情報を受信してもよく、受信した命令及び／又は情報に基づき、インジケータ部９３、コンプレッサドライバ９４、電子膨張弁９６、送風機ファンドライバ９７、及び気流制御ファンドライバ９８に制御命令を送信してもよい。
【００７６】
気流制御ファンドライバ９８は、コントローラ９２からの制御命令に応じて、気流制御モータ６１を駆動するか否かを制御し、駆動速度を制御してもよい。このようにすることにより、排気口２１の周辺で吸引される空気の量と、排出される気流の方向とを制御してもよい。
【００７７】
図７は、本開示の一実施形態に係るＡＣ室内部の側方横断面図である。図７を参照して、本開示の一実施形態に係るＡＣ室内部について説明する。上述の実施形態と同一の特徴については同一の参照符号で示し、ここでは重複する説明を省略する。
【００７８】
ＡＣ室内部２００の気流制御装置２５０は、排気口２１の周辺から空気を吸引（Ｓ）し、ハウジング１０の内部に吸引した空気を排出（Ｄ）する。
【００７９】
実施形態において、気流制御装置２５０は、気流が流動する方向に応じて、排気口２１の周辺から熱交換器３０の上方領域に向かって吸引した空気を排出してもよい。排出された空気は、熱交換器３０によって冷却又は加熱された後、最終的に、排気口２１を通じて室内に排出される。
【００８０】
ハウジング１０の内部に空気を解放するために排気口２１の周辺の空気を吸引する流入穴２７１は、底部ハウジング１３に形成され、吸引した空気を排出する排出穴２７２は、ハウジング１０に形成される。
【００８１】
案内路２７０は、流入穴２１７及び排出穴２７２を接続するように形成される。案内路２７０は、周方向に形成され、流入穴２７１に注ぎ込む第１通路２７０ａと、第１通路２７０ａから半径方向の内側に延びる第２通路２７０ｂと、ファンケース６２の内部に形成される第３通路２７０ｃと、第３通路２７０ｃからハウジング１０の内部まで延び、排出穴２７２に注ぎ込む第４通路２７０ｄとを含んでもよい。
【００８２】
従って、流入穴２７１を通じて吸引された空気は、第１通路２７０ａ、第２通路２７０ｂ、第３通路２７０ｃ、及び第４通路２７０ｄを通じて排出穴２７２から排出されてもよい。
【００８３】
しかしながら、案内路２７０の構造は、単なる例示であり、案内路２７０が流入穴２７１及び排出穴２７２を接続する限り、案内路２７０の構造、形状、及び配置を限定するものでない。
【００８４】
図８は、本開示の一実施形態に係るＡＣ室内部の側方横断面図である。図８を参照して、本開示の一実施形態に係るＡＣ室内部について説明する。上述の実施形態と同一の特徴については同一の参照符号で示し、ここでは重複する説明を省略する。
【００８５】
ＡＣ室内部３００の気流制御装置３５０は、排気口２１の半径方向外側から（又は排出された気流の上方から）空気を吸引せず、排出口２１の半径方向内側から（又は排出された気流の下方から）空気を吸引するように構成されてもよい。このために、排気口２１の周辺の空気を吸引する流入穴３７１は、排気口２１の半径方向内側に形成されてもよい。
【００８６】
流入穴３７１を通じて吸引された空気は、案内路３７０を通じて排出穴３７２から排出（Ｄ）されてもよい。
【００８７】
このように、気流制御装置３５０は、排気口２１の半径方向内側から空気を吸引（Ｓ）するため、排出された気流は、排気口２１の半径方向外側から半径方向中央部分に集中させられてもよい。
【００８８】
図９は、本開示の一実施形態に係るＡＣ室内部の横断面平面図である。図９を参照して、本開示の一実施形態に係るＡＣ室内部について説明する。上述の実施形態と同一の特徴については同一の参照符号で示し、ここでは重複する説明を省略する。
【００８９】
ＡＣ室内部４００は、吸気口及び排気口４２１を有するハウジング４１０と、ハウジング４１０内に配置された熱交換器４３０と、空気を循環させる送風機ファン４４０とを含んでもよい。
【００９０】
垂直方向から見ると、ハウジング４１０は、略四角形状を有してもよい。空気を吸引する吸気口は、ハウジング４１０の底部中央に形成されてもよく、空気を排出する排気口４２１は、吸気口の周辺且つ外側に形成されてもよい。
【００９１】
排気口４２１は、垂直方向から見た時、丸めた隅部４２１ａを備えた略四角形の形態を有してもよい。ブレードを回転するために直線形状でなければならない排気口を有する従来のＡＣ室内部とは異なり、本実施形態に係る排気口４２１は、ブレード構造を有するものでないため、このような丸めた隅部４２１ａを有することが許容されてもよい。
【００９２】
或いは、排気口４２１は、四角形状でなく、三角形状、五角形状、六角形乗等を有してもよい。
【００９３】
熱効果器４３０は、冷媒を循環させるチューブ４３２と、チューブ４３２に冷媒を供給するか、又はチューブ４３２から冷媒を収集する外部冷媒チューブに接続されたヘッダ４３１とを含んでもよく、送風機ファン４４０は、熱交換器４３０の半径内に位置付けられてもよい。
【００９４】
図１０は、本開示の一実施形態に係るＡＣ室内部の横断面平面図である。図１０を参照して、本開示の一実施形態に係るＡＣ室内部について説明する。上述の実施形態と同一の特徴については同一の参照符号で示し、ここでは重複する説明を省略する。
【００９５】
ＡＣ室内部５００は、吸気口及び排気口５２１を有するハウジング５１０と、ハウジング５１０内に配置された熱交換器５３０と、空気を循環させる送風機ファン５４０とを含んでもよい。
【００９６】
垂直方向から見ると、ハウジング５１０は、略四角形状を有してもよい。空気を吸引する吸気口は、ハウジング５１０の底部中央に形成されてもよく、空気を排出する排気口５２１は、ハウジング５１０の底部の半径方向外側に形成されてもよい。
【００９７】
排気口５２１は、垂直方向から見ると、直線の辺はないものの、湾曲した辺を備える略四角形の形態を有してもよい。ブレードを回転させるために直線形状でなければならない排気口を有する従来のＡＣ室内部とは異なり、本実施形態に係る排気口５２１は、ブレード構造を有するものでないため、このような湾曲形状を有することが許容されてもよい。
【００９８】
熱交換器５３０は、冷媒を循環させるチューブ５３２と、チューブ５３２に冷媒を供給するか、又はチューブ５３２から冷媒を収集する外部冷媒チューブに接続されたヘッダ５３１とを含んでもよく、送風機ファン５４０は、熱交換器５３０の半径内に位置付けられてもよい。
【００９９】
図１１は、本開示の一実施形態に係るＡＣ室内部を示す。図１２は、図１１のＡＣ室内部の側方横断面図を示す。
【０１００】
図１１及び図１２を参照して、本開示の一実施形態に係るＡＣ室内部について説明する。上述の実施形態と同一の特徴については同一の参照符号で示し、ここでは重複する説明を省略する。
【０１０１】
ＡＣ室内部６００は、壁部Ｃに設置されてもよい。ＡＣ室内部６００は、吸気口６２０及び排気口６２１を有するハウジング６１０と、ハウジング６１０内に配置された熱交換器６３０と、空気を循環させる送風機ファン６４０とを含んでもよい。
【０１０２】
ハウジング６１０は、壁部Ｗに取り付けられた後方ハウジング６１２と、後方ハウジング６１２の前方に組み付けられた前方ハウジング６１１とを含んでもよい。
【０１０３】
空気を吸引する吸気口６２０は、前方ハウジング６１１の上方前方に形成されてもよく、空気を排出する排気口６２１は、前方ハウジング６１１の下方部分に形成されてもよい。この構造により、ＡＣ室内部６００は、その上方前方部分の空気を吸引し、空気を冷却又は加熱し、その下方部分から冷却又は加熱された空気を排出してもよい。
【０１０４】
上述の実施形態と同様に、排気口６２１は、円形、多角形、湾曲等、様々な形態を有してもよい。ハウジング６１０は、排気口６２１を通じて排出された空気を案内するためのコアンダ湾曲部分６１４を有してもよい。コアンダ湾曲部分６１４は、コアンダ湾曲部分６１４に密接し、コアンダ湾曲部分６１４に亘って流動するように、排気口６２１を通じて排出された気流を案内してもよい。送風機ファン６４０は、横流ファンであってもよい。
【０１０５】
ＡＣ室内部６００は、空気の圧力を変更するために、排気口６２１の周辺の空気を吸引することにより、排出された気流の方向を制御する気流制御装置６５０をさらに含む。
【０１０６】
気流制御装置６５０は、排気口６２１の周辺の空気を吸引するための吸引力を生じる気流制御ファン６６０と、気流制御ファン６６０を駆動する気流制御モータ６６１と、気流制御ファン６６０によって吸引された空気を案内する案内路６７０とを含んでもよい。
【０１０７】
案内路６７０は、排気口６２１の周辺の空気を吸引する流入穴６７１を、吸引した空気を排出する排出穴６７２に接続する。流入穴６７１は、ハウジング６１０のコアンダ湾曲部分６１４上に形成されてもよい。
【０１０８】
図１３は、本開示の一実施形態に係るＡＣ室内部の斜視図である。図１４は、図１３のＡＣ室内部の一部を示す側方横断面図である。
【０１０９】
図１３及び図１４を参照して、本開示の一実施形態に係るＡＣ室内部について説明する。上述の実施形態と同一の特徴については同一の参照符号で示し、ここでは重複する説明を省略する。
【０１１０】
ＡＣ室内部７００は、床Ｆに立設されてもよい。ＡＣ室内部７００は、吸気口７２０及び排気口７２１を有するハウジング７１０と、ハウジング７１０内に配置された熱交換器７３０と、空気を循環させる送風機７４０とを含んでもよい。
【０１１１】
ハウジング７１０は、前方ハウジング７１１と、中間ハウジング７１２と、後方ハウジング７１３とを含んでもよい。空気を吸引する吸気口７２０は、後方ハウジング７１３の上面、側面、及び後方面上に形成されてもよく、空気を排出する排気口７２１は、前方ハウジング７１１の前方に形成されてもよい。ＡＣの室内部７００は、この構造により、上部、側方、及び後方で空気を吸引し、その空気を冷却又は加熱し、冷却又は加熱された空気を前方に排出してもよい。
【０１１２】
上述の実施形態と同様に、排気口７２１は、、円形、多角形、湾曲等、様々な形態を有してもよい。ハウジング７１０は、排気口７２１を通じて排出された空気を案内するためのコアンダ湾曲部分７１４を有してもよい。コアンダ湾曲部分７１４は、コアンダ湾曲部分７１４に密接し、コアンダ湾曲部分７１４に亘って流動するように、排気口７２１を通じて排出された気流を案内してもよい。送風機ファン７４０は、横流ファン又は軸流ファンであってもよい。
【０１１３】
ＡＣ室内部７００は、空気の圧力を変更するために、排気口７２１の周辺の空気を吸引することにより、排出された気流の方向を制御する気流制御装置７５０をさらに含む。
【０１１４】
気流制御装置７５０は、排気口７２１の周辺の空気を吸引するための吸引力を生じる気流制御ファン７６０と、気流制御ファン７６０を駆動する気流制御モータ７６１と、気流制御ファン７６０によって吸引された空気を案内する案内路７７０とを含んでもよい。
【０１１５】
案内路７７０は、排気口７２１の周辺の空気を吸引する流入穴７７１を、吸引された空気を排出する排出穴７７２に接続する。流入穴６７１は、ハウジング６１０のコアンダ湾曲部分７１４上に形成されてもよい。
【０１１６】
図１５は、本開示の気流制御装置の流入穴の一例を図４との比較において示しており、流入穴は、複数の穴で形成される。
【０１１７】
図１５を参照すると、気流制御装置の流入穴１７１は、複数の小さな穴１７２の集合を含んでもよい。具体的には、複数の小さな穴１７２の集合は、円弧形状スリットを構成してもよく、このようなスリットのうちの少なくとも１つの組が流入穴１７１を構成してもよい。
【０１１８】
複数の小さな穴１７２に形成された流入穴１７１の構造は、埃、異物等が流入穴１７１を通じて吸引されてしまうことを防いでもよい。
【０１１９】
図１６及び図１７は、本開示の気流制御装置の流入穴の他の例を図４との比較において示しており、流入穴は、可変の幅を有して形成される。図１６において、流入穴の幅は比較的広く、図１７において、流入穴の幅は比較的狭い。
【０１２０】
図１６及び図１７に示される通り、気流制御装置の流入穴１７３は、可変幅Ｗを有して形成されてもよい、少なくとも１つの円弧形状スリット１７４を含んでもよい。換言すると、スリット１７４の開口程度は、制御されてもよい。
【０１２１】
このために、気流制御装置は、スリット１７４の開口程度を制御するための伸縮可能フェンス１７５を含んでもよい。図１６に示される通り、フェンス１７５が最小サイズに縮む時、スリット１７４は、最大幅Ｗｍａｘに達してもよく、図１７に示される通り、フェンス１７５が最大サイズに広がる時、スリット１７４は、最小幅Ｗｍｉｎに達してもよい。
【０１２２】
流入穴１７３の開口程度を制御する構造により、流入穴１７３を通じた空気の吸引量が制御されてもよく、引いては、排出される気流の方向が制御されてもよい。
【０１２３】
図１８は、本開示の気流制御装置の流入穴の一例を図４との比較において示しており、流入穴は、半径方向に延びる複数のスリットで形成される。
【０１２４】
図１８を参照すると、気流制御装置の流入穴１７６は、半径方向に延びるように形成された複数のスリット１７７で形成されてもよい。複数のスリット１７７は、所定の間隙を伴って互いに離間するように周方向に配置されてもよい。
【０１２５】
この構造は、排気口２１の周辺から空気を吸引する際の抵抗を低減することにより、空気の吸引に要求される動力、すなわち、ファンの回転数を低減してもよい。
【０１２６】
図１９は、本開示の気流制御装置の流入穴の一例を図４との比較において示しており、流入穴は、複数のスリットで形成される。
【０１２７】
図１９に示される通り、気流制御装置の流入穴１７８は、複数の円弧形状スリットで形成されてもよい。
【０１２８】
複数のスリットは、各々、半径方向の比較的内側に位置付けられた内側スリット１７９ａと、半径方向の比較的外側に位置付けられた外側スリット１７９ｂとを含んでもよい。内側スリット１７９ａ及び外側スリット１７９ｂは、所定の間隙を伴って離間してもよい。
【０１２９】
この構造は、空気吸引量を精密又は確実に制御することを助けてもよい。
【０１３０】
内側スリット１７９ａ及び外側スリット１７９ｂは、同一の幅を有してもよく、又は同一の幅を有さなくてもよい。或いは、複数のスリットは、３つ以上のスリットで形成されてもよい。
【０１３１】
このように、複数のスリットは、必要に応じて、異なるスリット数、異なる幅、異なる離間間隙等を有して設計されてもよい。
【０１３２】
図２０は、本開示の一実施形態に係るＡＣ室内部の主要部分を図７との比較において示した横断面図である。
【０１３３】
図２０を参照して、本開示の一実施形態に係るＡＣ室内部について説明する。上述の実施形態と同一の特徴については同一の参照符号で示し、ここでは重複する説明を省略する。
【０１３４】
上述の実施形態とは異なり、気流制御装置４５０は、圧力を変更するために排気口２１の周辺の空気を送風することにより、排出された気流の方向を制御してもよい。具体的には、気流制御装置が、排気口２１の周辺に負圧を生じることにより、排出された気流の方向を制御する上述の実施形態とは異なり、本実施形態に係る気流制御装置４５０は、排気口２１の周辺に正圧を生じることにより、排出された気流の方向を制御してもよい。
【０１３５】
気流制御装置４５０は、排気口２１の周辺の空気の送風量を制御してもよい。換言すると、気流制御装置４５０は、排気口２１の周辺の空気の送風量を制御することにより、排出された気流の方向を制御してもよい。
【０１３６】
ここでは、排出された気流の方向を制御することは、気流の排出角度を制御することをいう。換言すると、排出された気流を合流させるか、又は幅広く広げるかを制御することをいう。
【０１３７】
排気口２１の周辺の空気を送風する際、気流制御装置４５０は、排出された気流が流動する方向の一方側から空気を送風してもよい。
【０１３８】
具体的には、図２０に示される通り、気流制御装置４５０の非駆動時に排出された気流が流動する方向が方向Ａ１と示されることを考慮すると、気流制御装置４５０は、駆動時、空気を方向Ａ１の一方側に送風（Ｂ）することにより、排出された気流が流動する方向を方向Ａ２に変更してもよい。
【０１３９】
気流制御装置４５０は、排気口２１の半径方向内側から（又は排出された気流の下方から）空気を送風してもよい。すなわち、気流制御装置４５０の非駆動時、排出された気流が比較的合流し、気流制御装置４５０の駆動時、排出された気流が半径方向外側に比較的幅広く広がるようにしてもよい。
【０１４０】
気流制御装置４５０は、排気口２１の周辺の空気を送風する送風力を生じる気流制御ファン４６０と、気流制御ファン４６０を駆動する気流制御モータ４６１と、気流制御ファン４６０によって流動する空気を案内する案内路４７０とを含んでもよい。
【０１４１】
案内路４７０は、排気口２１の周辺の空気を送風するダクト４７２を、空気を吸引する流入穴４７１に接続する。
【０１４２】
図２１は、本開示の一実施形態に係るＡＣ室内部の主要部分を図２０との比較において示す横断面図である。
【０１４３】
図２１を参照して、本開示の一実施形態に係るＡＣ室内部について説明する。上述の実施形態と同一の特徴については同一の参照符号で示し、ここでは重複する説明を省略する。
【０１４４】
以上の実施形態と同様に、気流制御装置５５０は、圧力を変更するために排気口２１の周辺の空気を送風することにより、排出された気流の方向を制御してもよい。しかしながら、以上の実施形態とは異なり、気流制御装置５５０は、排気口２１の半径方向外側から（又は排出された気流の上方から）空気を送風してもよい。
【０１４５】
すなわち、気流制御装置５５０の非駆動時、排出された気流が比較的幅広く広がり、気流制御装置５５０の駆動時、排出された気流が半径方向内側に比較的合流してもよい。
【０１４６】
気流制御装置５５０は、排気口２１の周辺の空気を送風するための送風力を生じる気流制御ファン５６０と、気流制御ファン５６０を駆動する気流制御モータ５６１と、気流制御ファン５６０によって送風される気流を案内する案内路５７０とを含んでもよい。案内路５７０は、排気口２１の周辺の空気を送風するダクト５７２を、空気を吸引する流入穴５７１に接続する。
【０１４７】
図２２は、本開示の一実施形態に係るＡＣ室内部の主要部分を図２０との比較において示す横断面図である。
【０１４８】
図２２を参照して、本開示の一実施形態に係るＡＣ室内部について説明する。上述の実施形態と同一の特徴については同一の参照符号で示し、ここでは重複する説明を省略する。
【０１４９】
気流制御装置６５０は、圧力を変更するために、排気口２１の周辺の空気を送風することにより、排出された気流の方向を制御してもよい。しかしながら、気流制御装置が、排出された気流を押圧することにより、排出された気流を制御している図２０及び図２１の実施形態とは異なり、気流制御装置６５０は、排出された気流を引き込むことにより、排出された気流を制御してもよい。
【０１５０】
このために、コアンダ湾曲部分６１４は、排気口２１の周辺に形成され、気流制御装置６５０は、コアンダ湾曲部分６１４の接線方向に補助気流Ｘを排出してもよい。
【０１５１】
コアンダ湾曲部分６１４は、コアンダ効果により、コアンダ湾曲部分６１４の表面に密接し、コアンダ湾曲部分６１４の表面に亘って流動するように、排出穴６７２を通じて排出された補助気流Ｘを案内してもよい。コアンダ湾曲部分６１４は、ハウジング１０、例えば、底部ハウジング１３と一体形成されてもよい。
【０１５２】
コアンダ湾曲部分６１４は、排気口２１に向かう略凸状である形態を有してもよい。従って、コアンダ湾曲部分６１４に亘って流動する補助気流Ｘの速度が上昇し、圧力が低下してもよい。そこで、排気口２１から排出される主要気流が、その方向をＡ１からＡ２に変更するために、補助気流Ｘに向かって引き込まれる。
【０１５３】
排出穴６７２を通じて排出される補助気流Ｘの方向は、主要気流の方向に実質的に対応しつつ、コアンダ湾曲部分６１４の接線方向であってもよい。
【０１５４】
補助気流Ｘを案内する案内路６７０は、空気を吸引する流入穴６７１を、吸引された空気を排出する排出穴６７２に接続する。吸気口２０及び排気口２１を接続する通路を主要路と称する時、案内路６７０は、主要路から枝分かれすることによって形成されるといわれてもよい。
【０１５５】
排出口６７２は、補助気流Ｘがコアンダ湾曲部分６１４の接線方向に排出されるように、コアンダ湾曲部分６１４の付近に形成される。具体的には、排出穴６７２は、排気口２１の内側周面２２とコアンダ湾曲部分６１４との間に形成されてもよい。
【０１５６】
気流制御装置６５０は、排気口２１の半径方向外側から（主要気流の上方から）補助空気Ｘを送風してもよい。すなわち、気流制御装置６５０の非駆動時、主要排出気流が比較的合流し、気流制御装置６５０の駆動時、主要排出気流が比較的幅広く広がってもよい。
【０１５７】
気流制御装置６５０は、補助気流Ｘを生成するために空気を送風する気流制御ファン６６０と、気流制御ファン６６０を駆動する気流制御モータ６６１とを含んでもよい。気流制御ファン６６０は、主要送風機ファン４０とは別個に配置され、必要に応じて、複数の気流制御ファンが設けられてもよい。
【０１５８】
主要気流において引き込む補助気流Ｘの力を増加させるために、気流制御装置６５０は、補助気流Ｘの速度を上昇してもよい。換言すると、補助気流Ｘの速度が上昇するほど、圧力低下が大きくなり、主要な流れを引き込む力を増加させてもよい。補助気流Ｘの速度は、少なくとも気流の速度より速くてもよい。
【０１５９】
案内路６７０の流入穴６７１は、排気口２１の周辺に形成されてもよい。従って、気流制御装置６５０は、排気口２１の周辺の空気を吸引することにより、補助気流Ｘを生成してもよい。
【０１６０】
図２３は、本開示の一実施形態に係るＡＣ室内部の主要部分を図２０との比較において示す横断面図である。
【０１６１】
図２３を参照して、本開示の一実施形態に係るＡＣ室内部について説明する。上述の実施形態と同一の特徴については同一の参照符号で示し、ここでは重複する説明を省略する。
【０１６２】
図２２の気流制御装置６５０と同様に、本実施形態の気流制御装置７５０は、排出された気流を引き込むため、排気口２１の周辺に空気を送風することにより、排出された気流を制御してもよい。
【０１６３】
しかしながら、気流制御装置６５０とは異なり、気流制御装置７５０は、排気口２１の半径方向内側から（又は主要気流の下方から）補助気流Ｘを送風してもよい。すなわち、気流制御装置７５０の非駆動時、主要排出気流が比較的幅広く広がり、気流制御装置７５０の駆動時、主要排出気流が比較的合流する。
【０１６４】
コアンダ湾曲部分７１４は、排気口２１の周辺に形成され、気流制御装置７５０は、コアンダ湾曲部分７１４の接線方向に補助気流Ｘを排出してもよい。
【０１６５】
コアンダ湾曲部分７１４は、コアンダ効果により、コアンダ湾曲部分７１４の表面に密接し、コアンダ湾曲部分７１４の表面に亘って流動するように、排出穴７７２を通って排出された補助気流Ｘを案内してもよい。
【０１６６】
コアンダ湾曲部分７１４は、排気口２１に向かう略凸状である形態を有してもよい。従って、コアンダ湾曲部分７１４に亘って流動する補助気流Ｘの速度が上昇し、圧力が低下してもよい。従って、排気口２１から排出された主要気流は、その方向をＡ１からＡ２に変えるために、補助気流Ｘに向かって引き込まれる。
【０１６７】
排出穴７７２を通じて排出された補助気流Ｘの方向は、主要気流の方向に実質的に対応しつつ、コアンダ湾曲部分７１４の接線方向であってもよい。
【０１６８】
補助気流Ｘを案内する案内路７７０は、空気を吸引する流入穴７７１を、吸引した空気を排出する排出穴７７２に接続する。
【０１６９】
排出口７７２は、補助気流Ｘがコアンダ湾曲部分７１４の接線方向に排出されるように、コアンダ湾曲部分７１４の付近に形成される。具体的には、排出穴７７２は、排気口２１の内側周面２２とコアンダ湾曲部分７１４の間に形成されてもよい。
【０１７０】
気流制御装置７５０は、補助気流Ｘを生成するために空気を送風する気流制御ファン７６０と、気流制御ファン７６０を駆動する気流制御モータ７６１とをさらに含んでもよい。気流制御ファン７６０は、主要送風機ファン４０とは別個に配置され、必要に応じて、複数の気流制御ファンが設けられてもよい。
【０１７１】
図２４は、本開示の一実施形態に係るＡＣ室内部の主要部分を図２１との比較において示す横断面図である。
【０１７２】
図２４を参照して、本開示の一実施形態に係るＡＣ室内部について説明する。上述の実施形態と同一の特徴については同一の参照符号で示し、ここでは重複する説明を省略する。
【０１７３】
図２２の気流制御装置６５０と同様に、本実施形態の気流制御装置８５０は、排出された気流を引き込むために、排気口２１の周辺に空気を送風することにより、排出された気流を制御してもよい。
【０１７４】
しかしながら、図２２の気流制御装置６５０とは異なり、気流制御装置８５０は、排気口２１の周辺から空気を吸引することなく、ハウジング１０の内部から空気を吸引することにより、補助気流Ｘを生成してもよい。
【０１７５】
具体的には、熱交換器３０によって冷却された空気の一部は、補助気流Ｘを生成するために案内路８７０を通じて排出穴８７２から排出されてもよく、空気の残りの部分は、主要気流を生成するために排気口２１から排出されてもよい。
【０１７６】
コアンダ湾曲部分８１４は、排気口２１の周辺に形成され、気流制御装置８５０は、コアンダ湾曲部分８１４の接線方向に補助気流Ｘを排出されてもよい。
【０１７７】
補助気流Ｘを案内する案内路８７０は、空気を吸引する流入穴８７１を、吸引された空気を排出する排出穴８７２に接続する。
【０１７８】
気流制御装置８５０は、補助気流Ｘを生成するために空気を送風する気流制御ファン８６０と、気流制御ファン８６０を駆動する気流制御モータ８６１とをさらに含んでもよい。
【０１７９】
図２５は、本開示の一実施形態に係るＡＣ室内部の主要部分を図２１との比較において示す横断面図である。
【０１８０】
図２５を参照して、本開示の一実施形態に係るＡＣ室内部について説明する。上述の実施形態と同一の特徴については同一の参照符号で示し、ここでは重複する説明を省略する。
【０１８１】
図２３の気流制御装置７５０と同様に、本実施形態に係る気流制御装置９５０は、排出された気流を引き込むために、排出口２１の周辺に空気を送風することにより、排出された気流を制御してもよい。
【０１８２】
しかしながら、図２３の気流制御装置７５０とは異なり、気流制御装置９５０は、排気口２１の周辺から空気を吸引することなく、ハウジング１０の内部から空気を吸引することにより、補助気流Ｘを生成してもよい。
【０１８３】
具体的には、熱交換器３０の上方領域における空気の一部は、補助気流Ｘを生成するために案内路９７０を通じて排出穴９７２から排出されてもよく、空気の残りの部分は、主要気流を生成するために排気口２１から排出されてもよい。
【０１８４】
コアンダ湾曲部分９１４は、排気口２１の周辺に形成され、気流制御装置９５０は、コアンダ湾曲部分９１４の接線方向に補助気流Ｘを排出してもよい。
【０１８５】
補助気流Ｘを案内する案内路９７０は、空気を吸引する流入穴９７１を、吸引された空気を排出する排出穴９７２に接続する。
【０１８６】
気流制御装置９５０は、補助気流Ｘを生成するために空気を送風する気流制御ファン９６０と、気流制御ファン９６０を駆動する気流制御モータ９６１とをさらに含んでもよい。
【０１８７】
図２６は、本開示の一実施形態に係るＡＣの斜視図である。図２７は、図２６に示されるＡＣの底面図である。図２８は、図２６に示されるＡＣの展開図である。図２９は、図２７に特定される線Ｉ−Ｉに沿って切り出された側方横断面図である。
【０１８８】
以降、図２６〜図２９を参照して、本開示の一実施形態に係るＡＣ１００１を説明する。
【０１８９】
ＡＣ１００１は、天井Ｃに設置されてもよい。ＡＣ１００１の少なくとも一部は、天井Ｃに作り付けられてもよい。
【０１９０】
ＡＣ１００１は、吸気口１０２０及び排気口１０２１を有するハウジング１０１０と、ハウジング１０１０内に配置された熱交換器１０３０と、空気を循環する送風機ファン１０４０とを含んでもよい。
【０１９１】
垂直方向から見ると、ハウジング１０１０は、略円形状を有してもよい。ハウジング１０１０は、天井Ｃ内に配置された上部ハウジング１０１１と、上部ハウジング１０１１の底部に組み付けられた中間ハウジング１０１２と、中間ハウジング１０１２の底部に組み付けられた底部ハウジング１０１３とを含んでもよい。
【０１９２】
空気を吸引する吸気口１０２０は、底部ハウジング１０１３の中央に形成されてもよく、空気を排出する排気口１０２１は、吸気口１０２０の周辺且つ外側に形成されてもよい。垂直方向から見ると、排気口１０２１は、略円形状を有してもよい。
【０１９３】
この構造により、ＡＣ１００１は、底部の空気を吸引し、この空気を冷却又は加熱し、冷却又は加熱された空気を底部から再び排出してもよい。
【０１９４】
底部ハウジング１０１３は、第１案内面１０１４ａ及び第２案内面１０１４ｂを有してもよく、これらが排気口１０２１を形成する。第１案内面１０１４ａは、吸気口１０２０の近くに配置されてもよく、第２案内面１０１４ｂは、第１案内面１０１４ａより吸気口１０２０からさらに離間して配置されてもよい。第１及び／又は第２案内面１０１４ａ、１０１４ｂは、排気口１０２１を通じて排出された空気を案内するコアンダ湾曲部分を含んでもよい。コアンダ湾曲部分は、コアンダ湾曲部分に密着し、コアンダ湾曲部分に亘って流動するように、排気口１０２１を通じて排出される空気を案内してもよい。
【０１９５】
グリル１０１５は、吸気口１０２０に吸引された空気から埃をフィルタリングして取り除くために、底部ハウジング１０１３の底部上に組み付けられてもよい。
【０１９６】
熱交換器１０３０は、ハウジング内に搭載され、吸気口１０２０と排気口１０２１の間の空気の通路に位置付けられてもよい。熱交換器１０３０は、内部で冷媒が循環するチューブ（図示せず）と、チューブに冷媒を供給し、チューブから冷媒を収集するために外部冷媒チューブに接続されたヘッダ（図示せず）とを含んでもよい。チューブは、熱放射面積を拡大するための熱交換ピンを有してもよい。
【０１９７】
垂直方向から見ると、熱交換器１０３０は、略円形状を有してもよい。熱交換器１０３０は、熱交換器１０３０に生成される凝結水がドレイントレイ１０１６に収集されるように、ドレイントレイ１０１６上に据え付けられてもよい。
【０１９８】
送風機ファン１０４０は、熱交換器１０３０の半径方向内側に位置付けられてもよい。送風機ファン１０４０は、軸方向に空気を吸引し、半径方向に空気を解放する遠心ファンであってもよい。ＡＣ１００１は、送風機ファン１０４０を駆動する送風機モータ１０４１を含んでもよい。
【０１９９】
この構造により、ＡＣ１００１は、室内の空気を吸引し、その空気を冷却又は加熱し、冷却又は加熱された空気を室内に再び解放してもよい。
【０２００】
ＡＣ１００１は、冷媒が流動する、熱交換器１０３０に接続された熱交換パイプ１０８１と、ドレイントレイ１０１６内に収集された凝結物を解放するドレインポンプ１０８２とをさらに含んでもよい。熱交換パイプ１０８１及びドレインポンプ１０８２は、吸気口を遮断せず、後述のブリッジ１１００の上部に位置付けられてもよい。具体的には、熱交換パイプ１０８１は、ドレイントレイ１０１６上に配置された安全熱交換パイプ受容部分１０１６ａ内に安全に受容されてもよく、ドレインポンプ１０８２は、ドレイントレイ１０１６上に配置された安全ドレインポンプ受容部分１０１６ｂ内に安全に受容されてもよい（図３３参照のこと）。
【０２０１】
図２７を参照すると、ＡＣ１００１は、排気口１０２１に隣接して位置づけられ、排気口１０２１の周方向に所定長さと同程度延びるブリッジ１１００をさらに含んでもよい。ブリッジ１１００は、周方向に沿って所定間隔で離間してもよく、その数は３つであってもよい。ブリッジ１１００は、第１案内面１０１４ａ及び第２案内面１０１４Ｂを接続するように配置されてもよい。
【０２０２】
環形状の排気口１０２１から空気が全方向に解放される場合、比較的高い圧力が排気口１０２１の周辺に生じ、比較的低い圧力が吸気口１０２０の周辺に生じる。さらに、排気口１０２１の全方向から排出された空気は空気カーテンを形成するため、吸気口１０２０を通じて吸引されるはずの空気が、吸気口１０２０の側に供給されないこともある。このような状況下では、排気口１０２１から排出された空気は、吸気口１０２０を通じて再び吸引され、ハウジング１０１０内部での凝結と排出された空気の損失を生じるため、ユーザによって感じられる効果的な性能を低下させてしまう。
【０２０３】
本開示の一実施形態に係るブリッジ１１００は、所定の長さと同程度、排気口１０２１を遮断するために排気口１０２１上に位置付けられる。従って、排気口１０２１は、空気が解放される第１セクションＳ１と、ブリッジ１１００による遮断のために空気がほぼ解放されない第２セクションＳ２とに区画されてもよい。すなわち、ブリッジ１１００は、吸気口１０２０を通じて吸引される空気を供給するように第２セクションを形成してもよい。さらに、ブリッジ１１００は、吸気口１０２０の周辺の低い圧力と排気口１０２１の周辺の高い圧力との間の差を低減することにより、吸気口１０２０への空気の円滑な供給を促進してもよい。
【０２０４】
ブリッジ１１００は、ブリッジ１１００によって形成される第２セクションＳ２を最小化するように、空気が解放される方向の近くに位置付けられるほど、より接近する１対の排出案内面１１０１を含んでもよい。排気口１０２１から排出案内面１１０１によって排出されている空気は、排出案内面１１０１が故に、排気口１０２１から広がってもよい。
【０２０５】
図２７において、ＡＣ１００１は３つの等距離にあるブリッジ１１００、すなわち１２０°ずつ離れた３つのブリッジを有するように示されているが、これに限定されるものでなく、図３０に示される通り、単一のブリッジ１１００ａのみが設けられてもよい。或いは、図３１に示される通り、１８０°離れた２つのブリッジ１１００ｂが設けられてもよく、又は図３２に示される通り、９０°ずつ離れた４つのブリッジ１１００ｃが設けられてもよい。複数のブリッジ１１００、１１００ｂ、１１００ｃは、互いに異なる角度で、排気口１０２１の周方向に沿って配置されてもよい。或いは、図示していないが、５つ以上のブリッジが配置されてもよい。すなわち、ブリッジの数に制限はない。
【０２０６】
しかしながら、第２セクションＳ２を形成し、吸気口１０２０を通じて吸引される空気の円滑な供給を促進するためには、ブリッジ１１００、１１００ａ、１１００ｂ、１１００ｃの長さの合計が排気口の全周長の５％以上４０％以下に設定されてもよい。換言すると、第１セクションＳ１及び第２セクションＳ２の長さの合計に対する第２セクションＳ２の長さの比率は、５％以上４０％以下に設定されてもよい。
【０２０７】
さらに、複数のブリッジ１１００、１１００ｂ、１１００ｃが配置された場合、表示部１１２０、１１２０ｂ、１１２０ｃがブリッジ１１００、１１００ｂ、１１００ｃの１つの底部上に配置されてもよい。
【０２０８】
ブリッジ１１００、１１００ａ、１１００ｂ、１１００ｃにより、排気口１０２１から排出される空気は、吸気口１０２０に再び吸引されず、室内を冷却又は加熱するために広がってもよい。
【０２０９】
図３３を参照すると、ＡＣは、排気口１０２１ａ内に配置され、空気が排出される方向に沿って垂直に延びる排出案内リブ１１１０をさらに含んでもよい。具体的には、排出案内リブ１１１０は、ドレイントレイ１０１６上に形成されてもよい。ドレイントレイ１０１６は、ハウジング１０１０の排気口１０２１に対応するドレイントレイ排気口１０２１ａを含んでもよく、排出案内リブ１１１０は、ドレイントレイ排気口１０２１ａの面積を低減するために、ドレイントレイ排気口１０２１ａ内に配置されることにより、ドレイントレイ排気口１０２１ａを通じて排出されている空気の流速を上昇してもよい。排出案内リブ１１１０は、排気口１０２１ａから排出される空気が排出されつつ広げられてもよいように、排出された空気を案内してもよい。排出案内リブ１１１０は、ブリッジ１１００が形成されない排気口１０２１の第１セクションＳ１に対応するように配置されてもよい。
【０２１０】
さらに、排出案内リブ１１１０は、ハウジング１０１０の堅実性を補強するために、ドレイントレイ排気口１０２１ａ上に配置されてもよい。
【０２１１】
排出案内リブ１１１０は、ドレイントレイ排気口１０２１ａの周方向に沿って延びる第１排出案内リブ１１１１と、ドレイントレイ排気口１０２１ａの半径方向に沿って延びる第２排出案内リブ１１１２とを含んでもよい。
【０２１２】
ドレイントレイ排気口１０２１ａの周方向に沿って形成された第１排出案内リブ１１１１とドレイン排気口１０２１ａの半径方向に沿って形成された第２排出案内リブ１１１２とで、ドレイントレイ排気口１０２１ａの面積が小さくされることにより、ドレイントレイ排気口１０２１を通過する空気の流速を上昇してもよい。複数の第２排出案内リブ１１１２が形成されてもよい。
【０２１３】
図３４及び図３５は、図３３に示される幅広い排出案内リブ１１１０の部分を示している。
【０２１４】
図３４を参照すると、第２排出案内リブ１１１２ａは、ドレイントレイ排気口１０２１ａの半径方向から見た時、ブリッジ１１００の近くに位置付けられるほど、ブリッジ１１００に向かって下方に傾斜してもよい。具体的には、第２排出案内リブ１１１２ａは、中央からいずれかの端部に近づくほど、排出された空気が広がる方向に傾斜するように、第１排出案内リブ１１１１ａに組み付けられてもよい。従って、第２排出案内リブ１１１２ａは、ドレイントレイ排気口１０２１ａから排出された空気をブリッジ１１００に向かって広げさせることにより、第２セクションＳ２を最小化してもよい。すなわち、可能であれば、ＡＣ１０１１の全方向に空気を排出させてもよい。
【０２１５】
図３５を参照すると、第２排出案内リブ１１１２ｂは、ドレイントレイ排気口１０２１ａの半径方向から見た時、ブリッジ１１００の近くに位置付けられるほど、ブリッジ１１００から離れて下方に傾斜してもよい。具体的には、第２排出案内リブ１１１２ｂは、第２排出案内リブ１１１２ｂが中央からいずれかの端部に近づくに連れて、排出された空気が合流する方向に傾斜されるように、第１排出案内リブ１１１１ｂに組み付けられてもよい。従って、第２排出案内リブ１１１２ｂは、ドレイントレイ排気口１０２１ａから排出された空気を集めることにより、パワフルな気流を形成してもよい。
【０２１６】
図３６を参照すると、ハウジング１０１０は、第１排出案内リブ１１１１を伴うことなく、第２排出案内リブ１１１２ｃのみを含んでもよい。
【０２１７】
さらに、図示はしていないが、第１排出案内リブ１１１１は、ドレイントレイ排気口１０２１ａの半径方向において吸気口１０２０から離間するように傾斜して配置されてもよく、ドレイントレイ排気口１０２１ａから排出される空気が、ドレイントレイ排気口１０２１ａの半径方向において吸気口１０２０から広がるようにしてもよい。
【０２１８】
図３８に示される通り、中間ハウジング１０１２は、底部ハウジング１０１３の排気口１０２１とドレイントレイ１０１６のドレイントレイ排気口１０２１ａに対応する中間ハウジング排気口１０２１ｂを含んでもよく、中間ハウジング排気口１０１２ｂにおいて、ドレイントレイ１０１６の第２排出案内リブ１１１２に対応するハウジング排出案内リブ１１１３が設けられてもよい。ハウジング排出案内リブ１１１３は、第２排出案内リブ１１１２と同一面上に配置されてもよく、第２排出案内リブ１１１２に組み付けられてもよい。
【０２１９】
図３７は、図２９において特定される「〇」の部分の拡大図である。図３８は、図２８に示される通り、中間ハウジング及び底部ハウジングに展開された図である。図３９は、図２６に示されるＡｃの気流制御装置による空気循環を示す。
【０２２０】
図３７〜図３９を参照すると、ＡＣ１００１は、気流を制御する気流制御装置１０５０をさらに含んでもよい。
【０２２１】
気流制御装置１０５０は、圧力を変更するために、排気口１０２１の周辺の空気を吸引することにより、排出された気流の方向を制御してもよい。さらに、気流制御装置１０５０は、排気口１０２１の周辺の空気吸引量を制御してもよい。換言すると、気流制御装置１０５０は、排気口１０２１周辺の空気吸引量を制御することにより、排出された気流の方向を制御してもよい。
【０２２２】
ここでは、排出された気流の方向を制御することは、排出された気流の角度を制御することをいう。
【０２２３】
排気口１０２１の周辺の空気を吸引する際、気流制御装置１０５０は、排出された気流が流れる方向の一方側から空気を吸引してもよい。
【０２２４】
具体的には、図３７に示される通り、気流制御装置１０５０の非駆動時、排出された気流が流れる方向が方向Ａ１として示されると考慮すると、気流制御装置１０５０は、方向Ａ１の一方側から空気を吸引することにより、排出された気流の流動する方向を方向Ａ２に変更するように駆動されてもよい。
【０２２５】
この時、方向変更角度は、空気吸引量に基づいて制御されてもよい。例えば、空気吸引量が少ないほど、方向変更角度が小さくなり、空気吸引量が多いほど、方向変更角度が大きくなる。
【０２２６】
気流制御装置１０５０は、半径方向において排気口１０２１の外側から空気を吸引してもよい。このように、気流制御装置１０５０が半径方向において排気口１０２１の外側から空気を吸引するため、排出された気流は、排気口１０２１の半径方向中央から半径方向外側に幅広く広がってもよい。
【０２２７】
気流制御装置１０５０は、排気口１０２１の周辺の空気を吸引するための吸引力を生じる気流制御ファン１０６０と、気流制御ファン１０６０を駆動する気流制御モータ１０６１と、気流制御ファン１０６０によって吸引された空気を案内する案内路１０７０とを含んでもよい。
【０２２８】
気流制御ファン１０６０は、吸気口１０２０に隣接したブリッジ１１００の端部に配置されるファンケース１０６２内に組み付けられてもよい。本実施形態では、ブリッジの数に対応して３つの気流制御ファン１０６０が設けられるが、気流制御ファン１０６０の数はこれに限定されるものでなく、気流制御ファン１０６０の数及び配置は、ブリッジ１１００の数及び配置と同様、様々な方法で設計されてもよい。
【０２２９】
気流制御ファン１０６０は、図３７と関連の実施形態において、遠心ファンに対応するが、これに限定されるものでなく、軸流ファン、横流ファン、混合流ファン等、その他様々なファンが気流制御ファン１０６０のために使用されてもよい。
【０２３０】
案内部１０７０は、排気口１０２１の周辺の空気を吸引する流入穴１０７１を、吸引した空気を排出する排出穴１０７２に接続する。案内路１０７０の一部は、ブリッジ１１００上に形成されてもよい。
【０２３１】
流入穴１０７１は、底部ハウジング１０１３の第２案内面１０４１ｂ上に形成されてもよい。排出穴１０７２は、流入穴１０７１の反対側において、排気口１０２１に隣接して形成されてもよい。具体的には、排出穴１０７２は、ブリッジ１１００の底部上に配置されたファンケース１０６２内に形成されてもよい。
【０２３２】
上述の通り、この構造により、気流制御装置１０５０が、排出された気流の流動する方向Ａ１の反対側に吸引された空気を排出できるようにし、気流の排出角度を広げることによって、より円滑に気流を制御するようにしてもよい。
【０２３３】
図３７及び図３８を参照すると、案内路１０７０は、ハウジング１０１０の外側において周方向に形成され、流入穴１０７１に注ぎ込む第１通路１０７０ａと、第１通路１０７０ａから半径方向内側に延びる第２通路１０７０ｂと、ファンケース１０６２の内部に形成される第３通路１０７０ｃとを含んでもよい。第２通路１０７０ｂは、ブリッジ１１００上に形成されてもよい。
【０２３４】
従って、流入穴１０７１を通じて吸引される空気は、第１通路１０７０ａ、第２通路１０７０ｂ、及び第３通路１０７０ｃを通じて排出穴１０７２から排出されてもよい。
【０２３５】
しかしながら、案内路１０７０の構造は、単なる例示であり、案内路１０７０が流入穴１０７１及び排出穴１０７２を接続する限り、案内路１０７０の構造、形状、及び配置を限定するものでない。
【０２３６】
図３７及び図３９を参照すると、排出穴１０７２は、ブリッジ１１００の底面１１０３に向かって空気を排出するように形成されてもよい。排出穴１０７２は、ブリッジ１１００の下方に形成されてもよい。
【０２３７】
流入穴１０７１を通じて流入する空気が冷却空気であれば、凝結は、冷却空気がブリッジ１１００を通過している間、冷却空気が通過する内部とブリッジ１１００の外部との間の温度差が故に、ブリッジ１１００の外側、すなわち、ブリッジ１１００の底面１１０３で発生してもよい。
【０２３８】
一方、本開示の一実施形態に係るＡＣ１００１の場合、流入穴１０７１を通じて吸引された冷却空気がブリッジ１１００の下方に形成された排出穴１０７２を通じてブリッジ１１００の底面１１０３に排出されるため、ブリッジ１１００の内部と外部の間の温度差が低減されてもよい。これにより、凝結を防いでもよい。
【０２３９】
図２７及び図４０を参照すると、ＡＣ１００１は、複数のブリッジ１１００のうちの１つの下方に表示部１１２０をさらに含んでもよい。
【０２４０】
表示部１１２０は、ユーザに対してＡＣ１００１の動作のステータスを表示してもよい。具体的には、表示部１１２０は、ＡＣ１００１が動作中であるか否か、排出された気流の方向、ＡＣ１００１が現在冷却モードで駆動されているか又は加熱モードで駆動されているか、又はＡＣ１００１に関する様々な情報を表示してもよいが、これに限定されるものでない。
【０２４１】
表示部１１２０は、ブリッジ１１００の排出案内面１１０１とほぼ同一の形状を有する排出案内面１１２２を含んでもよい。従って、表示部１１２０が配置される箇所に隣接した排出穴１０２１から排出される空気であっても、排気口１０２１から排出されつつ、広がってもよい。
【０２４２】
図示していないが、表示部１１２０に加え、遠隔制御受信機（図示せず）、ＡＣ１００１の入力部（図示せず）、及び外部装置との通信を可能にする通信部（図示せず）のうちの１つも、ブリッジ１１００の下方に位置付けられてよい。
【０２４３】
表示部１１２０がブリッジ１１００の下方に配置される場合、排出穴１０７２は、ブリッジ１１００の底面１１０３に向かって空気を排出することができない。従って、表示部１１２０の側に発生し得る凝結の問題を防ぐため、表示部１１２０とブリッジ１１００の間に絶縁材料が配置されてもよい。
【０２４４】
図３９及び図４１を参照すると、排出穴１０７２は、空気が排出穴１０７２から排出される方向に延びる排出穴リブ１０７３をさらに含んでもよい。換言すると、排出穴リブ１０７３は、排気口１０２１の半径方向に延びることにより、形成されてもよい。排出穴リブ１０７３は、水平及び／又は垂直に延びてもよい。垂直方向に延びる１つの排出穴リブ１０７３と、水平方向に延びる４つの排出穴リブ１０７３とが設けられているが、排出穴リブ１０７３の数に制限はない。
【０２４５】
排出穴リブ１０７３は、排出穴１０７２から排出される空気が、ブリッジ１１００の底面１１０３と接触した後、排気口１０２１から排出される気流と略同一の方向に排出されるように、排出穴１０７２から排出された空気を案内する。
【０２４６】
さらに、気流制御装置１０５０の被駆動時、すなわち、排気口１０２１から排出された空気の一部が流入穴１０１７１を通じて吸引されない時、排気口１０２１から排出された空気の一部が排出穴１０７２に流入することを防いでもよい。
【０２４７】
図４２は、排気口の半径方向から見た図４１の排出穴の一実施形態を示す。図４３は、排気口の半径方向から見た図４１の排出穴の一実施形態を示す。図４４は、図４１の排出穴の一実施形態の斜視図である。図４５は、図４１の排出穴の一実施形態の斜視図である。
【０２４８】
図４２を参照すると、排出穴１０７２の排出穴リブ１０７３ａは、垂直方向のみに延びてもよい。
【０２４９】
図４３を参照すると、排出穴１０７２の排出穴リブ１０７３ｂは、水平方向のみに延びてもよい。
【０２５０】
図４４を参照すると、排出穴１０７２の排出穴リブ１０７３ｃは、垂直方向に延びるが、排出穴１０７２から排出された空気が広がってもよいように、空気が排出される方向に対して所定角度傾斜するように配置されてもよい。
【０２５１】
図４５を参照すると、排出穴１０７２の排出穴リブ１０７３ｄは、水平方向に延びるが、排出穴１０７２から排出された空気がブリッジ１１００の底面１１０３と略同一のスロープを有してもよいように、排出穴１０７２から空気が排出される方向において、下方に傾斜して配置されてもよい。従って、排出穴１０７２から排出された空気が、ブリッジ１１００の底面１１０３に亘って円滑に解放されることにより、ブリッジ１１００の底面１０３に対する衝突によって生じる空気の損失を低減してもよい。
【０２５２】
図４６は、図２６に示すグリルをなくしたＡＣの底面図である。図４７は、下方から斜めに見た、図４６に特定された「Ａ」の部分の図である。図４８は、下方から斜めに見た、図４６に特定された「Ｂ」の部分の図である。図４９は、図４８の底部ハウジングの一実施形態である。図５０は、図４８の底部ハウジングの一実施形態である。
【０２５３】
図４６及び図４７を参照すると、ＡＣ１００１の気流制御ファン１０６０は、ブリッジ１１００の下方に配置されてもよく、排出穴１０７２を通じて半径方向において、流入穴１０７１から排気口１０２１の外部へ、吸引した空気を排出してもよい。排出穴１０７２は、流入穴１０７１が形成される箇所である排気口１０２１の反対側に位置付けられてもよい。
【０２５４】
図４６及び図４８を参照すると、表示部１１２０がブリッジ１１００の下方に配置される場合、気流制御ファン１０６０ａは、表示部１１２０の上方に位置付けられるブリッジ１１１０の吸気口１０２０に近い端部に配置され、表示部１１２０に対して半径方向において排気口１０２１の内側に位置付けられる。
【０２５５】
空気が気流制御ファン１０６０ａから排出される排出穴１０７２ａは、表示部１１２０の左側において、第１案内面１０１４ａ上に位置付けられてもよい。具体的には、下方に表示部１１２０を有さないブリッジ１１００に隣接して配置されたファンケース１０６２とは異なり、気流制御ファン１０６０ａを収めたファンケース１０６２ａは、空気が気流制御ファン１０６０ａから排出される、表示部１１２０に対して左側に位置付けられた開口１０６３ａと、気流制御ファン１０６０ａの開口１０６３ａを第１案内面１０１４ａ上に形成された排出穴１０７２ａに接続するように配置された拡張ダクト１０６４ａとを有してもよい。従って、流入穴１０７１を通じて吸引された空気は、表示部１１２０に干渉することなく、表示部１１２０に対して左側に形成された排出穴１０７２ａを通じて排出されてもよい。
【０２５６】
一方、図４９に示される通り、排出穴１０７２ｂは、表示部１１２０に対して右側に形成されてもよい。この場合、気流制御ファン１０６０ｂを収めたファンケース１０６２ｂは、空気が表示部１１２０に対して右側に形成された気流制御ファン１０６０ｂから排出される開口１０６３ｂと、気流制御ファン１０６０ｂの開口１０６３ｂを第１案内面１０１４ａ上に形成された排出穴１０７２ｂに接続するように配置された拡張ダクト１０６４ｂとを有してもよい。従って、流入穴１０７１を通じて吸引された空気は、表示部１１２０に干渉することなく、表示部１１２０に対して右側に形成された排出穴１０７２ｂを通じて排出されてもよい。
【０２５７】
或いは、図５０に示される通り、排出穴（図示せず）は、表示部１１２０の後ろに形成されてもよい。この場合、流入穴１０７１から吸引された空気は、ハウジング１０１０の内部に排出されてもよい。
【０２５８】
具体的には、気流制御ファン１０６０ｃを収容したファンケース１０６２ｃは、空気が表示部１１２０の後ろ、すなわち、ハウジング１０１０の内側に形成された気流制御ファン１０６０ｃから排出される開口１０６３ｃと、気流制御ファン１０６０ｃの開口１０６３ｃをハウジング１０１０の内部に形成された排出穴１０７２ｃに接続するように配置された第４通路（図示せず）とを有してもよい。従って、流入穴１０７１を通じて流動する空気は、気流制御ファン１０６０ｃ、気流制御ファン１０６０ｃの下位億１０６３ｃ、及び第４通路を順次通過した後、排気口を通じて排出されてもよい。
【０２５９】
図５１は、図２９に特定される線ＩＩ−ＩＩに沿って切り出した横断面図である。図５２は、図２８に示される中間ハウジングの底面図である。図５３は、図５１の中間ハウジングの一実施形態である。図５４は、図５１の中間ハウジングの一実施形態である。図５５は、図５１の中間ハウジングの一実施形態である。図５６は、図５１の底部ハウジングの一実施形態である。
【０２６０】
図５１及び図５２を参照すると、中間ハウジング１０１２は、案内路１０７０を分割する区画１０１２ａをさらに含んでもよい。
【０２６１】
具体的には、中間ハウジング１０１２は、流入穴１０７１に注ぎ込む第１通路１０７０ａを分割する区画１０１２ａを含んでもよい。区画１０１２ａは、ブリッジ１１００の数に対応するように配置されてもよい。区画１０１２ａは、各ブリッジ１１００に対して第１通路１０７０ａを対称に区画するために、第１通路１０７０ａ上の複数のブリッジ１１００間の中間点に配置されてもよい。区画１０１２ａは、複数の気流制御ファン１０６０の間に形成された案内路１０７０を分割してもよい。
【０２６２】
具体的には、図５１に示される通り、３つのブリッジ１１００’、１１００’’、１１００’’’が配置される場合、区画１０１２ａは、ブリッジ１１００’、１１００’’、１１００’’’間の中間点に配置されてもよい。従って、第１通路１０７０ａは、流入穴１０７１を通じて流動する空気が、各ブリッジ１１００’、１１００’’、１１００’’’の一端に配置された気流制御ファン１０６０の駆動ステータスに応じた部分に流動するように、第１部分Ｐ１、第２部分Ｐ２、及び第３部分Ｐ３に区画されてもよい。
【０２６３】
具体的には、第１ブリッジ１１００’の一端に位置付けられた気流制御ファン１０６０が駆動されれば、第１部分Ｐ１に対応する排気口１０２１を通じて排出された空気の部分のみが、流入穴１０７１を通じて第１通路１０７０ａに流入する。第２ブリッジ１１００’’の一端に位置付けられた気流制御ファン１０６０が駆動されれば、第２部分Ｐ２に対応する排気口１０２１を通じて排出された空気の部分のみが、流入穴１０７１を通じて第１通路１０７０ａに流入する。第３ブリッジ１１００’’’の一端に位置付けられた気流制御ファン１０６０が駆動されれば、第３Ｐ３に対応する排気口１０２１を通じて排出された空気が、流入穴１０７１を通じて第１通路１０７０ａに流入する。各ブリッジ１１００’、１１００’’、１１００’’’に隣接して配置された気流制御ファン１０６０は、互いに独立して駆動されてもよい。従って、図２６に示されるＡＣについては、排出された気流が、ブリッジ１１００に対して３つの方向に独立して生成されてもよい。
【０２６４】
このように、図５１に示される実施形態の場合、ブリッジ１１００’、１１００’’、１１００’’’に対して区画されたセクションの所定数と同数の異なる気流が生成されてもよい。
【０２６５】
中間ハウジング１０１２は、気流ファン１０６０が位置付けられる一端とは反対側のブリッジ１１００の他端に形成された案内部分１０１７を含んでもよい。案内部分１０１７は、ブリッジ１１００の他端に配置され、排気口１０２１の周辺で吸引された空気が流入してもよい。案内部分１０１７は、第１通路１０７０ａ及び第２通路１０７０ｂが接合する点に形成されてもよい。案内部分１０１７は、空気が合流した時の衝突を防ぐことにより、ブリッジ１１００に対して左側と右側に配置された第１通路１０７０ａから流入する空気の損失を回避するために、第１通路１０７０ａからブリッジ１１００に移動する空気を案内する。換言すると、案内部分１０１７は、第１通路１０７０ａから第２通路１０７０ｂに円滑に流動させるために、流入穴１０７１を通じて流入する空気を案内してもよい。案内部分１０１７は、中間ハウジング１０１２の外側周面から対称形状を有する湾曲面を形成するように突出している。
【０２６６】
図５３を参照すると、区画１０１２ｂはまた、各々、ブリッジ１１００間の第１通路１０７０ａ上の中間点から所定距離に位置付けられてもよい。換言すると、区画１０１２ｂは、ブリッジ１１００のうちの１つにより近くなるように位置づけられてもよい。
【０２６７】
図５４を参照すると、区画１０１２ｃは、各々、ブリッジ１１００と第１通路１０７０ａが合流する点に位置付けられてもよい。具体的には、区画１０１２ｃは、ブリッジ１１００の右側端部に配置されてもよい。この場合、案内部分１０１７ｃは、各々、ブリッジ１１００の左側に形成された第１通路１０７０ａから流入する空気がブリッジ１１００に案内されるように、ブリッジ１１００に対して右側端部に湾曲面を形成するように突出する。
【０２６８】
図５４に示される一実施形態の場合、複数のブリッジ１１００間の排気口１０２１に対して異なる気流が生成されてもよい。
【０２６９】
図５５を参照すると、区画１０１２ｄは、ブリッジ１１００の左側端部にも配置されてよい。この場合、案内部分１０１７ｄは、各々、ブリッジ１１００の右側に形成された第１通路１０７０ａから流入する空気がブリッジ１１００に案内されるように、ブリッジ１１００に対して左側端部に湾曲面を形成するように突出している。
【０２７０】
図５５に示される一実施形態の場合、複数のブリッジ１１００間の排気口１０２１に対して異なる気流が生成されてもよい。
【０２７１】
図５６を参照すると、区画１０１２ａ及び案内部分１０１７ｅは、底部ハウジング１０１３内に配置されてもよい。この場合、区画１０１２ｅの位置と案内部分１０１７ｅの形状は、図５１〜図５５で上述した通り、決定されてもよい。
【０２７２】
図５７は、図２６のＡＣ１００１の一実施形態である。図５７に示される実施形態については、図２６のＡＣ１００１の構成要素と同様の参照符号を使用しているため、以下、その説明を省略する。
【０２７３】
排気口１０２１から排出された空気を吸引することにより、排出された空気の気流を制御する気流制御装置１０５０は、図５７に示されるＡＣ１００２から省かれてもよい。従って、図５７に示されるＡＣ１００２は、流入穴１０７１及び排出穴１０７２を除外してもよい。
【０２７４】
図５８は、図２６のＡＣの一実施形態である。図５８に示される実施形態については、図２６のＡＣ１００１の構成要素と同様の参照符号を使用しているため、以下、その説明を省略する。
【０２７５】
図５８に示されるＡＣ１００３は、吸気口１０２０に加え、外気を吸引するための補助吸気口１０８３をさらに含んでもよい。補助吸気口１０８３は、上方ハウジング１０１１の外側周面上に配置されてもよい。補助吸気口１０８３は、天井Ｃに作り付けられてもよい。補助吸気口１０８３は、天井Ｃの外部に配置されてもよい。補助吸気口１０８３を通じて吸引された外気は、熱交換器１０３０を通過した後、排気口１０２１を通じて排出されてもよい。
【０２７６】
このように、本開示に係るＡＣ１００１は、排気口１０２１から排出された空気が吸気口１０２０に再び吸引されることを防ぐことにより、ハウジング１０１０内部で凝結が形成されるのを防ぎ、排出された気流の損失を低減することでユーザが感じるＡＣ１００１の効果的な性能を向上してもよい。
【０２７７】
図５９は、本開示の一実施形態に係るＡＣ室内部の斜視図である。図６０は、図５９に特定される線Ｉ−Ｉに沿って切り出された側方横断面図である。図６１は、本開示の一実施形態に係るＡＣの展開図である。図６２は、本開示の一実施形態に係るＡＣの底部ハウジングの展開図である。図６３は、本開示の一実施形態に係る第２底部ハウジングをなくしたＡＣの底面図である。図６４は、図６０に示されるものの一部の拡大図である。
【０２７８】
以降、図５９〜図６４を参照して、本開示の一実施形態に係るＡＣの概略特徴を説明する。
【０２７９】
ＡＣ室内部２００１は、天井Ｃに設置されてもよい。ＡＣ室内部２００１の少なくとも一部は、天井Ｃ内に組み込まれてもよい。
【０２８０】
ＡＣ室内部２００１は、吸気口２０１１及び排気口２０３３を有するハウジング２０１０と、ハウジング２０１０内に配置された熱交換器２０８０と、空気を循環させる送風機ファン２０４０とを含んでもよい。
【０２８１】
垂直方向から見ると、ハウジング２０１０は、略円形状を有してもよい。ハウジング２０１０は、天井Ｃ内に配置された上部ハウジング２０２０と、上部ハウジング２０２０の底部に組み付けられた中間ハウジング２０２１と、中間ハウジング２０２１の底部に組み付けられた底部ハウジング２０３０とを含んでもよい。
【０２８２】
底部ハウジング２０３０は、中間ハウジングの周辺及び下方に配置され、環状である第１底部外側ハウジング２０３１ａと、半径方向において第１底部外側ハウジング２０３１ａの内側に配置され、環状である第１底部内側ハウジング２０３１ｂと、第１底部内側ハウジング２０３１ｂの底部をカバーする、第１底部内側ハウジング２０３１ｂの底部に組み付けられた第２底部ハウジング２０３２とを含んでもよい（図６２参照のこと）。或いは、第１底部内側ハウジング２０３１ｂ及び第２底部ハウジング２０３２は、１つのユニットに一体化されてもよい。
【０２８３】
底部ハウジング２０３０の中央部分では、外気を吸引するために外部から送風機ファン２０４０に注ぎ込む開口の形態を有する吸気口２０１１が配置されてもよい。具体的には、第２底部ハウジング２０３２の中央部分が開放され、第２底部ハウジング２０３２の開口から送風機ファン２０４０に注ぎ込む空間により、外気をハウジング２０１０の内部に吸引させる、
【０２８４】
吸引口２０１１をカバーし、吸気口２０１１内に空気を吸引させる複数の穴に形成された吸引グリル２０１６を含む吸引パネル２０１５は、吸気口２０１１の下方に配置されてもよく、空気を排出する排気口２０３３は、半径方向において吸引パネル２０１５の外側に形成されてもよい。垂直方向から見ると、排気口２０３３は、略円形状を有してもよい。
【０２８５】
排気口２０３３は、第１底部外側ハウジング２０３１ａと第１底部内側ハウジング２０３１ｂの間に形成された間隔、すなわち、半径方向における第１底部外側ハウジング２０３１ａと第底部内側ハウジング２０３１ｂの間に形成されてもよい。換言すると、排気口２０３３は、中間ハウジング２０２１の開口から、第１外側ハウジング２０３１ａの内周面と第１底部内側ハウジング２０３１ｂの外周面の間に形成された間隙であると規定されてもよい。
【０２８６】
しかしながら、排気口２０３３は、これに限定されるものでなく、底部ハウジング２０３０上に形成され、熱交換器２０８０からの熱交換済みの空気が底部ハウジング２０３０から排出されるように外部に注ぎ込む任意の空間、開口であってもよい。
【０２８７】
この構造により、ＡＣ室内部２００１は、底部の空気を吸引し、その空気を冷却又は加熱し、冷却又は加熱した空気を底部に排出してもよい。
【０２８８】
排気口２０３３を通じて排出された空気を案内するコアンダ湾曲部分は、第１底部外側ハウジング２０３１ａの内周面上に形成されてもよい。コアンダ湾曲部分２０３４は、コアンダ湾曲部分２０３４に密接して、コアンダ湾曲部分２０３４に亘って流動するように、排気口２０３３を通じて排出された気流を案内してもよい。
【０２８９】
フィルタ２０１７は、吸引グリル２０１６内に吸引した空気から埃をフィルタリングして除去するために、吸引パネル２０１５の上部に組み付けられてもよい。
【０２９０】
第２底部ハウジング２０３２の中央部分において、吸引案内部２１００は、空気が吸引パネル２０１５を通過して送風機ファン２０４０に移動すべく案内するように形成されてもよい。上述の通り、開口は、第２底部ハウジング２０３２の中央部分に形成され、吸引案内部２１００は、空気が開口に流入して送風機ファン２０４に移動すべく案内するように、第２底部ハウジング２０３２の開口上に配置されてもよい。
【０２９１】
垂直方向から見ると、熱交換器２０８０は、略円形状を有してもよい。
【０２９２】
熱交換器２０３０は、熱交換器２０８０内で生成された凝結水がドレイントレイ２０９０内に収集されるように、ドレイントレイ２０９０上に据え付けられてもよい。
【０２９３】
送風機ファン２０４０は、熱交換器２０８０の半径方向内側に位置付けられてもよい。送風機ファン２０４０は、軸方向に空気を吸引し、半径方向に空気を解放する遠心ファンであってもよい。ＡＣ室内部２００１は、送風機ファン２０４０を駆動する送風機モータ２０４１を含んでもよい。吸気口２０１１から吸引された空気を送風機ファン２０４０に移動させる送風機ファン流入穴２０４２も含んでよい。
【０２９４】
このような構成により、ＡＣ室内部２００１は、室内の空気を吸引し、その空気を冷却又は加熱した後、冷却又は加熱された空気を再び室内に解放してもよい。
【０２９５】
ＡＣ室内部２００１は、排出された気流を制御する気流制御装置２０５０をさらに含んでもよい。
【０２９６】
気流制御装置２０５０は、圧力を変更するために、排気口２０３３の周辺の空気を吸引することにより、排出された気流の方向を制御してもよい。さらに、気流制御装置２０５０は、排気口２０３３の周辺の空気吸引量を制御してもよい。換言すると、気流制御装置２０５０は、排気口２０３３の周辺の空気吸引量を制御することにより、排出された気流の方向を制御してもよい。
【０２９７】
ここでは、排出された気流の方向を制御することは、排出された気流の角度を制御することをいう。
【０２９８】
排気口２０３３の周辺の空気を吸引する際、気流制御装置２０５０は、排出された気流が流動する方向の一方側から空気を吸引してもよい。
【０２９９】
具体的には、図６４に示される通り、気流制御装置２０５０の被駆動時、排出された気流が流動する方向が方向Ａ１と示されると考慮すると、気流制御装置２０５０は、方向Ａ１の一方側から空気を吸引することにより、排出された空気が流動する方向を方向Ａ２に変更するために駆動されてもよい。
【０３００】
この時、方向変更角度は、空気吸引量に基づいて制御されてもよい。例えば、空気吸引量が少ないほど、方向変更角度は小さくなり、空気吸引量が多いほど、方向変更角度は大きくなる。
【０３０１】
気流制御装置２０５０は、排出された気流が流動する方向Ａ１の反対側に、吸引された空気を排出してもよい。このようにすることにより、気流排出角度を広げることで、より円滑に気流を制御してもよい。
【０３０２】
気流制御装置２０５０は、半径方向において排気口２０３３の外側から空気を吸引してもよい。このように、気流制御装置２０５０が半径方向２１における排気口２０３３の外側から空気を吸引するため、排出された気流が、半径方向における排気口２０３３の外側から半径方向外側に幅広く広がってもよい。
【０３０３】
気流制御装置２０５０は、排気口２０３３の周辺の空気を吸引するための吸引力を生じる気流制御ファン２０６０と、気流制御ファン２０６０を駆動する気流制御モータ２０６１と、気流ファン２０６０及び気流制御モータ２０６１をカバーする気流制御ファンケース２０６２と、気流制御ファン２０６０によって吸引された空気を案内する案内路２０７０とを含んでもよい。
【０３０４】
気流制御ファン２０６０は、底部ハウジング２０３０内に収容されてもよい。具体的には、気流制御ファンケース２０６２は、第１底部外側ハウジング２０３１ａ内に形成された空間内に配置されてもよい。しかしながら、これに限定されるものでなく、気流制御ファン２０６０は、底部ハウジング２０３０の内部に配置されてもよく、第１底部外側ハウジング２０３１ａと同様に、第１底部内側ハウジング２０３１ｂ又は第２底部ハウジング２０３２内に形成される空間内に配置されてもよい。
【０３０５】
本実施形態において、各々１２０度ずつで形成された３つの気流制御ファン２０６０が設けられてもよい。気流制御ファン２０６０は、これに限定されるものでなく、様々な配置でより多くの数の気流制御ファン２０６０が設計されてもよく、又はより少ない数の気流制御ファンが設計されてもよい。
【０３０６】
本実施形態において、気流制御ファン２０６０は遠心ファンに対応するが、これに限定されるものでなく、気流制御ファン２０６０には、軸流ファン、横流ファン、混合流ファン等、様々なファンも使用されてよい。
【０３０７】
案内路２０７０は、排気口２０３３の周辺の空気を吸引する流入穴２０７１を、吸引された空気を排出する排出穴２０７２に接続する。
【０３０８】
流入穴２０７１は、第１底部ハウジング２０３１のコアンダ湾曲部分２０３４上に形成されてもよい。
【０３０９】
排出穴２０７２は、流入穴２０７１の反対側において、排気口２０３３の周辺に位置付けられてもよい。具体的には、排出穴２０７２は、第２底部ハウジング２０３２内に形成されてもよい。
【０３１０】
上述の通り、この構造により、気流制御装置２０５０が、排出された気流の流動する方向Ａ１の反対側に吸引された空気を排出することができるようにしてもよく、気流の排出角度を広げることで、より円滑に気流を制御してもよい。
【０３１１】
案内路２０７０は、ハウジング２０１０の周方向に形成され、流入穴２０７１に注ぎ込む第１通路２０７０ａと、第１通路２０７０ａから半径方向内側に延びる第２通路２０７０ｂと、気流制御ファン２０６０が安全に受容される領域に形成された第３通路２０７０ｃとを含んでもよい。
【０３１２】
従って、流入穴２０７１を通じて吸引された空気は、第１通路２０７０ａ、第２通路２０７０ｂ、及び第３通路２０７０ｃを通じて排出穴２０７２から排出されてもよい。
【０３１３】
案内路２０７０は、中間ハウジング２０２１、第１底部ハウジング２０３１ａ、２０３１ｂ、及び第２底部ハウジング２０３２によって形成されてもよい。具体的には、第１通路２０７０ａ及び第２通路２０７０ｂは、中間ハウジング２０２１及び第１底部ハウジング２０３１ａ、２０３１ｂによって形成された内部空間内に形成されてもよく、第３通路２０７０ｃは、第２底部ハウジング２０３２及び気流制御ファンケース２０６２によって形成された内部空間内に形成されてもよい。
【０３１４】
しかしながら、案内路２０７０の構造は、単なる例示であり、案内路２０７０が流入穴２０７１及び排出穴２０７２を接続する限り、案内路２０７０の構造、形状、及び配置を限定するものでない。
【０３１５】
第１底部外側ハウジング２０３１ａにおいて、排気口２０３３を区画し、第２通路２０７０ｂを形成するために配置されたブリッジ２０７４が設けられてもよい。本実施形態では、３つのブリッジが設けられている。
【０３１６】
この構造により、本開示の実施形態に係るＡＣ室内部は、ブレードが排気口に設けられて気流がブレードの回転によって制御される従来のＡＣ室内部と比較して、ブレード構造を伴うことなく、排出された気流を制御してもよい。従って、ブレードによる干渉がないため、排出量を増加させ、循環ノイズを低減させてもよい。
【０３１７】
さらに、ブレードを回転させるために直線形状に形成されなければならない排気口を有する従来のＡＣ室内部とは対照的に、本開示の実施形態に係るＡＣ室内部は、円形状に形成されてもよい排気口を有し、従って、ハウジング及び熱交換器も円形状に形成されることにより、設計を異ならせることで外観の審美性を向上してもよい。さらに、一般的な送風機ファンの形状が円形であることを考慮すると、本開示の実施形態では、空気がより自然に流動し、圧力損失が低減し、結果として、ＡＣの冷却性能又は加熱性能が向上されてもよい。以下、ＡＣ室内部２００１内に吸引されるように空気を案内する吸引案内部２１００について、詳細に説明する。
【０３１８】
図６５は、本開示の一実施形態に係るＡＣの分離吸引パネルの斜視底面図である。図６６は、本開示の一実施形態に係るＡＣの吸引案内部の部分横断面図である。図６７は、本開示の一実施形態に係るＡＣのいくつかの部分の展開図である。
【０３１９】
図６５を参照すると、ハウジング２０１０内に流入する外気を案内する吸引案内部２１００は、吸気口２０１１と送風機ファン流入穴２０４２の間に配置されてもよい。
【０３２０】
吸引案内部２１００は、外気が吸気口２０１１を通過して、送風機ファン２０４０内に流入してもよいように、吸気口２０１１と送風機ファン流入穴２０４２から延びることにより、吸気口２０１１と送風機ファン２０４０の間にチューブの形態で配置されてもよい。
【０３２１】
吸引案内部２１００は、吸気口２０１１から送風機ファン流入穴２０４２に延び、湾曲形態を有する案内面２１１０を含んでもよい。
【０３２２】
案内面２１１０は、吸引案内部２１００の内周面の一部であり、吸気口２０１１の外周面を包含し、送風機ファン流入穴２０４２に延びる環状に形成されてもよい。さらに、案内面２１１０は、ドレイントレイ２０９０の中央部分に形成された開口２０９１を通過し、吸気口２０１１から送風機ファン流入穴２０４２に延びてもよい。
【０３２３】
吸気口２０１１を通じて吸引される空気は、送風機ファン２０４０内に流入するように、案内面２１１０によって案内された後、熱交換器２０８０によって熱交換されてもよい。すなわち、案内面２１１０によって形成された空間は、空気が流れる吸引路２１２０であってもよい。
【０３２４】
吸引案内部２１００は、吸気口２０１１と送風機ファン流入穴２０４２の間で丸められ、湾曲して形成された丸め部分２１１１を含んでもよい。具体的には、図６５に示される通り、丸め部分２１１１は、吸気口２０１１からドレイントレイ２０９０まで、ハウジング２０１０の内側に向かって丸められるように形成されてもよい。
【０３２５】
案内面２１１０は、丸め部分２１１１を含んでもよく、送風機ファン流入穴２０４２に隣接した側に延びてもよい。具体的には、案内面２１１０は、丸め部分２１１１から送風機ファン流入穴２０４２に延びる吸引案内部２１００の内周面として規定されてもよい。
【０３２６】
吸引路２１２０は、吸気口２０１１から送風機ファン流入穴２０４２まで円滑な空気循環を促進するためにストリームライン形状を有するように、丸め部分２１１１によって形成されてもよい。
【０３２７】
丸め部分２１１１は、吸気口２０１１に隣接して形成された吸引路２１２０の断面積がドレイントレイ２０９０側に形成された吸引路２１２０の断面積より大きくなるように、形成されてもよい。
【０３２８】
具体的には、吸引路２１２０は、丸め部分２１１１が送風機ファン２０４０の回転軸に対してハウジング２０１０の内側に向かって凸状となる湾曲面を有してもよく、送風機ファン流入穴２０４２に隣接して形成される案内面２１１０の半径が吸気口２０１１に隣接して形成される案内面２１１０の半径未満、延びるようにする。
【０３２９】
丸め部分２１１１は、これに限定される物でなく、吸気口２０１１から送風機ファン流入穴２０４２が位置付けられる箇所まで延びる丸め形態で形成されてもよく、送風機ファン２０４０の回転軸に対してハウジング２１００の内側に窪んだ湾曲面を含んでもよい。
【０３３０】
丸め部分２１１１は、吸気口２０１１に隣接した側から膨らみを開始し、吸気口２０１１とドレイントレイ２０９０の間で膨らみを停止してもよい。
【０３３１】
具体的には、丸め部分２１１１の一方側は、吸気口２０１１より上方に配置された領域内にあってもよく、丸め部分２１１１の他方側は、吸気口２０１１とドレイントレイ２０９０の間にあってもよく、他方側は、丸め部分２１１１の一方側から９０度回転されるように膨らませられる。
【０３３２】
しかしながら、丸め部分２１１１は、これに限定されるものでない。例えば、丸め部分２１１１は、吸気口２０１１から膨らみを開始してもよく、丸め部分２１１１の他方側は、膨らみが吸気口２０１１から送風ファン流入穴２０４２に通じるように、ドレイントレイ２０９０を通過しつつ、送風機ファン流入穴２０４２に配置されてもよい。
【０３３３】
丸め部分２１１により、案内面２１１０は、送風ファン２０４０の回転軸に垂直な面を有さないことで、円滑な気流を促進する。
【０３３４】
吸引案内部２１００がドレイントレイ２０９０を通過し、吸気口２０１１から送風機ファン流入穴２０４２に延びるため、ドレイントレイ２０９０は、吸引案内部２１００にカバーされることにより、外部に露出されなくてもよい。
【０３３５】
具体的には、吸引案内部２１００の外周面は、外部に露出されないように、ハウジング２０１０の内周面に対向する方向に形成されてもよく、吸引案内部２１００の内周面は、外部から送風機ファン２０４０に注ぎ込む形態で配置されるため、外部に露出されなくてもよい。従って、ドレイントレイ２０９０は、外部に露出されないように、吸引案内部２１００の外周面の外側に配置されてもよい。
【０３３６】
換言すると、ドレイントレイ２０９０は、吸引案内部２１００の内周面に位置付けられた案内面２１１０により形成される吸引路２１２０上に配置されなくてもよい。すなわち、案内面２１１０は、吸引路２１２０及びドレイントレイ２０９０を別個に配置するために形成されてもよい。
【０３３７】
従来のＡＣの場合、ドレイントレイの一部は、気流に干渉するように吸引路内に位置付けられる。特に、送風機ファンの回転軸に垂直となるように配置されたドレイントレイの一部の場合、吸引された空気の流動を遮断することにより、送風機ファンに流入する空気の量を低減し、ドレイントレイへの衝突による顕著なノイズを生じてしまう。
【０３３８】
対照的に、本開示の一実施形態において、吸引案内部２１００が吸引路２１２０からドレイントレイ２０９０を分離するため、従来のＡＣに生じる上述の問題を解消してもよい。
【０３３９】
特に、ドレイントレイ２０９を分離することに加え、丸め部分２１１１は、気流を遮断することなく、送風機ファン２０４０への円滑な気流を促進するために、ドレイントレイ２０９０をカバーするセクションに配置されてもよい。
【０３４０】
さらに、後述の通り、制御ケース２２００等、ＡＣ室内部２００１の作り付け部分は、開口２０９１の縁部側に配置され、吸引路２１２０内に配置されないように、吸引案内部２１００によって被覆されてもよい。
【０３４１】
ドレイントレイ２０９０及び制御ケース２２００等の作り付け部分が吸引案内部２１００にカバーされ、送風機ファン２０４０の回転軸に垂直となるように吸引路２１２０に形成された面を除外するため、空気の流動性が増加し、摩擦ノイズが最小化されてもよい。
【０３４２】
特に、本開示の一実施形態において、吸引路２１２０に生じるノイズは、吸引案内部２１００が取り除かれてＡＣ室内部２００１が駆動される時に比較して、吸引案内部２１００が組み立てられてＡＣ室内部２００１が駆動される時、約１．５ｄＢ低減されてもよい。
【０３４３】
いくつかの視点で吸引案内部２１００を説明すると、空気が送風機ファン２０４０内に吸引されるように形成された送風機ファン２０４０側の開口は、第１吸気口２０４２ａとして規定され、空気がハウジング２０１０の内側に流れるようにハウジング２０１０上に形成された開口は、第３吸気口２０１１ａとして規定され、第３吸気口２０１１ａを通じて吸引された空気がドレイントレイ２０９０を通過するようにドレイントレイ２０９０内に形成された開口は、第２吸気口２０９１ａとして規定されてもよい。
【０３４４】
吸引案内部２１００は、第１吸気口２０４２ａ側から第３吸気口２０１１ａ側に延び、第１吸気口２０４２ａと第３吸気口２０１１ａの間に形成された第２吸気口２０９１ａを通過するように配置されてもよい（図６１参照のこと）。
【０３４５】
吸引案内部２１００が第２吸気口２０９１ａを通過するため、吸引案内部２１００は、吸引案内部２１００の外周面の外側に配置されたドレイン２０９０が、吸引案内部２１００の内周面によって形成される吸引路２１２０から分離できるようにする。
【０３４６】
さらに、第３吸気口２０１１ａは、第１吸気口２０４２ａより半径が大きくなるように、丸め部分２１１１によって形成されてもよく、両者間に形成される第２吸気口２０９１ａは、第３吸気口２０１１ａより半径が小さくなる。
【０３４７】
以降、吸引案内部２１００’の一実施形態について説明する。後述の吸引案内部２１００’及びドレイントレイ２０９０’以外の特徴は、上述の実施形態の特徴と同一であるため、その説明を省略する。
【０３４８】
図６８は、本開示の一実施形態に係るＡＣの吸引案内部の一部の横断面図である。
【０３４９】
吸引案内部２１００’は、外気が吸引案内部２１００’及びドレイントレイ２０９０’を介して吸気口２１００を通じて送風機ファン２０４０に流動するように、吸気口２０１１が配置される一方側からドレイトレイ２０９０’’が位置付けられる他方側に延びることにより、吸気口２０１１とドレイントレイ２０９０’の間でチューブの形態で配置されてもよい。
【０３５０】
吸引案内部２１００’の他方側は、ドレイントレイ２０９０’の開口２０９１’に接続され、ハウジング２０１０の内側における案内面２１００’
及び開口２０９１’に接続されるチューブ形状を形成してもよい。
【０３５１】
換言すると、上述の実施形態で説明した吸引路とは異なり、吸引路２１２０’は、吸引案内部２１００’とドレイントレイ２０９０’の対によって形成されてもよい。具体的には、案内面２１１０’が丸め部分２１１１からドレイントレイ２０９０’の開口２０９１’の内周面の一方側に延びるため、吸引路２１２０’は、案内面２１１０’に沿ってドレイントレイ２０９０’の開口２０９１’の内周面の他方側まで延びるセクションに形成されてもよい。
【０３５２】
吸引案内部２１００’は、間隙を伴うことなく、ドレイントレイ２０９０’の開口２０９１’の内周面の一方側に接触するように配置されてもよい。従って、空気は、吸引路２１２０’を通じて吸気口２０１１から送風機ファン２０４０に案内及び移動されてもよい。
【０３５３】
開口２０９１’の内周面の一方側が間隙を伴うことなく案内面２１１０’に接触するため、開口２０９１’に接触する案内面２１１０’の側及び開口２０９１’の内周面の一方側が、同一サイズの半径を有してもよい。従って、送風機ファン２０４０の回転軸に対して垂直となるように吸引路２１２０’内に形成される構造が存在しないため、流動性に対する抵抗を生じることなく、空気が送風機ファン２０４０に流入してもよい。
【０３５４】
開口２０９１’の内周面の他方側は、送風機ファン流入穴２０４２側に延びることにより、空気を送風機ファン２０４０内に流入させる。
【０３５５】
従って、上述の実施形態とは異なり、ドレイントレイ２０９０’の部分が吸引路２１２０’に露出されたとしても、空気は、空気の流動性に抵抗することなく、送風機ファンに案内されてもよい。
【０３５６】
換言すると、従来のＡＣの場合、吸引路に配置されたドレイントレイの部分は、空気の流動性に干渉するが、本開示の実施形態によると、従来のＡＣに生じる問題は、ドレイントレイ２０９０’が空気の流動性に干渉しない吸引案内部２１００’を伴うストリームライン特徴を含む吸引路２１２０’を形成することにより、解消されてもよい。
【０３５７】
以下、制御ケース２００について詳細に説明する。
【０３５８】
図６９は、本開示の一実施形態に係る制御ケースの展開図である。図７０は、本開示の一実施形態に係るプリント回路基板（ＰＣＢ）の見取図である。図７１は、本開示の一実施形態に係る制御ケースの下方ケースに組み立てられたＰＣＢの見取図である。図７２〜図７５は、本開示の一実施形態に係るワイヤホルダに保持されたワイヤを示す。
【０３５９】
図６６〜図６９を参照すると、制御ケース２２００は、ドレイントレイ２０９０の開口２０９１の縁部側に配置されてもよい。
【０３６０】
制御ケース２２００は、開口２０９１の外周面に対応する湾曲部分２２５０を含んでもよい。これは、制御ケース２２００が開口２０９１の外周面上に配置されつつ、吸引路２１２０内に配置されることを防ぐものである。
【０３６１】
具体的には、制御ケース２２００の湾曲部分２２５０は、開口２０９１の縁部側に対応するように配置され、ドレイントレイ２０９０の外側、特に、開口２０９１の内側に配置される制御ケース２２００の部分がなくなるようにしてもよい。
【０３６２】
従来のＡＣの場合、制御ケースは、本開示の実施形態と同様に、ドレイントレイ上に配置されてもよいが、制御ケースは、ボックス形状を有し、その一部がドレイントレイの外側に露出されて吸引路２１２０内に位置決められることにより、空気の流動性に干渉し、ノイズを生じ、流動体の量を低減する。
【０３６３】
このような問題は、本開示の実施形態において解消されてもよく、この場合、制御ケース２２００がドレイントレイ２０９０の外側に露出されることなく、引いては吸引路２１２０に位置決められない。
【０３６４】
さらに、制御ケース２２００が湾曲部分２２５０を含むため、吸引案内部２１００によってカバーされてもよい。具体的には、湾曲部分２２５０は、開口２０９１の外周面に対応し、且つ吸引案内部２１００の外周面に対応するように形成されてもよい。
【０３６５】
吸引案内部２１００の外周面は、開口２０９１を通過するため、開口２０９１の内周面に対応する曲率半径を有してもよく、湾曲部分２２５０は開口２０９１の外周面に対応する曲率半径を有する湾曲面を含むため、吸引案内部２１００の外周面及び湾曲部分２２５０は、対応形態の各湾曲面を含んでもよい。
【０３６６】
湾曲部分２２５０により、吸引案内部２１００は、制御ケース２２００が吸引案内部２１００の内側に突出する部分を有さないため、形状に更なる変化を伴うことなく、全体としてストリームライン形態の内周面を有するように配置されてもよい。
【０３６７】
制御ケース２２００は、ドレイントレイ２０９０上に位置付けられるように、半径方向において排気口２０９１の外側に配置されてもよく、ＡＣ室内部２００１の垂直方向に対して吸気口２０１１とドレイントレイ２０９０の間に配置されてもよい。
【０３６８】
上述の通り、吸引案内部２１００の丸め部分２１１１は、吸気口２０１１とドレイントレイ２０９０の間に形成されるため、制御ケース２２００は、さらに、垂直方向において丸め部分２１１１に対応する湾曲部分２２５０をさらに含んでもよい。
【０３６９】
具体的には、開口２０９１に対応する湾曲部分２２５０を第１湾曲部分２２５１と称する時、制御ケース２２００は、垂直方向において丸め部分２１１１に対応する湾曲面を有する第２湾曲部分２２５２を含んでもよい。
【０３７０】
制御ケース２２００は、吸引案内部２１００で第２湾曲部分２２５２によってカバーされてもよい。第２湾曲部分２２５２が丸め部分２１１１に対応する湾曲面を有するために、制御ケース２２００は、吸引案内部２１００の外周面付近に配置されてもよい。
【０３７１】
従って、吸引案内部２１００は、制御ケース２２００が垂直方向にも吸引案内部２１００の内側に突出する部分を有さないため、さらなる形状変化を伴うことなく、全体としてストリームライン形態の内周面を有するように配置されてもよい。
【０３７２】
図６９に示される通り、制御ケース２２００は、第１湾曲部分２２５１及び第２湾曲部分２２５２を有する上方ケース２２１０と、第１湾曲部分２２５１を有する下方ケース２２２０と、上方ケース２２１０及び下方ケース２２２０の間に配置された
ＰＣＢ２２３０とを含んでもよい。
【０３７３】
図７０に示される通り、ＰＣＢ２２３０は、第１湾曲部分２２５１を含んでもよい。これは、ＰＣＢ２２３０がケース２２１０、２２２０内に組み立てられるため、制御ケース２２００全体の形状を維持するものである。
【０３７４】
しかしながら、本開示の実施形態とは異なり、ＰＣＢ２２３０がケース２２１０、２２２０より面積が小さいために、ケース２２１０、２２２０の内部領域の一部のみに配置されれば、ＰＣＢ２２３０は、第１湾曲部分２２５１を含まなくてもよい。
【０３７５】
図７１に示される通り、ＰＣＢ２２３９から延びるワイヤ２２３１を保持するワイヤホルダ２２６０は、下方ケース２２２０内に形成されてもよい。
【０３７６】
ＰＣＢ２２３０は、内部構成要素を制御するために、ＡＣ室内部２００１の内部構成要素に対して、ワイヤ２２３１で電気的に接続されてもよい。そうでなければ、ワイヤ２２３１がケース２２１０、２２２０内に無秩序に搭載されれば、損傷を受けやすくなる。そこで、ワイヤホルダ２２６０は、ワイヤ２２３１が秩序を有して配置されるように、配置されてもよい。
【０３７７】
ワイヤホルダ２２６０は、ＰＣＢ２２３０が下方ケース２２２０内に配置される空間の一方側又は両側に搭載されてもよい。ＰＣＢのいずれかの側に延びるワイヤ２２３１全体のうち、一部はワイヤホルダ２２６０によって保持され、他はケース２２１０、２２２０の外側に延びるようにしてもよい。
【０３７８】
ワイヤホルダ２２６０は、三角形態に配置された３つのフック２２６１、２２６２、及び２２６３によって形成されてもよい。しかしながら、これは、本実施形態に限定されるものでなく、２つのフック又は４つ以上のフックで形成されてもよい。
【０３７９】
三角形態の配置に対して、第１フック２２６１が上部に配置され、第２フック２２６２が底部左側に配置され、第３フック２２６３が底部右側に配置されると考慮すると、各フック２２６１、２２６２、２２６３の突出は、三角形態の配置の中央に向かって配置されてもよい。
【０３８０】
ワイヤ２２３１が通過するフック２２６１，２２６２、２２６３の間には、通過領域２２６４、２２６５、２２６６が形成されてもよい。
【０３８１】
第１フック２２６１と第２フック２２６２の間の空間が第１通過領域２２６５と規定され、第２フック２２６２と第３フック２２６３の間の空間が第２通過領域と規定され、第３フック２２６３と第１フック２２６１の間の空間が第３通過領域２２６６と規定される時、ワイヤ２２３１は、これら３つの通過領域２２６４、２２６５、２２６６のうち、少なくとも２つの異なる通過領域を通過し、ケース２２１０、２２２０の内側まで延びてもよい。
【０３８２】
図７２〜図７５に示される通り、ワイヤ２２３１が下方ケース２２２０の面に対してＰＣＢ２２３０の底部から延びれば、ワイヤ２２３１は、第１通過領域２２６４及び第２通過領域２２６５を通過し、ケース２２１０、２２２０の外側に延びてもよい。
【０３８３】
さらに、ワイヤ２２３１が長すぎてワイヤ２２３１の長さを調整する必要があれば、この長さは、ワイヤ２２３１の一部を第３通過領域２２６６に延ばすことによって調整されてもよい。
【０３８４】
ワイヤ２２３１は、ＰＣＢ２２３０の上部から延びていれば、第１通過領域２２６４及び第３通過領域２２６６を通過して、ケース２２１０、２２２０の外側に延びてもよい。
【０３８５】
さらに、ワイヤ２２３１が長すぎてワイヤ２２３１の長さを調整する必要があれば、この長さは、ワイヤ２２３１の一部を第２通過領域２２６５に延ばすことによって調整されてもよい。
【図１】
0006488409.tif 000002
【図２】
0006488409.tif 000003
【図３】
0006488409.tif 000004
【図４】
0006488409.tif 000005
【図５】
0006488409.tif 000006
【図６】
0006488409.tif 000007
【図７】
0006488409.tif 000008
【図８】
0006488409.tif 000009
【図９】
0006488409.tif 000010
【図１０】
0006488409.tif 000011
【図１１】
0006488409.tif 000012
【図１２】
0006488409.tif 000013
【図１３】
0006488409.tif 000014
【図１４】
0006488409.tif 000015
【図１５】
0006488409.tif 000016
【図１６】
0006488409.tif 000017
【図１７】
0006488409.tif 000018
【図１８】
0006488409.tif 000019
【図１９】
0006488409.tif 000020
【図２０】
0006488409.tif 000021
【図２１】
0006488409.tif 000022
【図２２】
0006488409.tif 000023
【図２３】
0006488409.tif 000024
【図２４】
0006488409.tif 000025
【図２５】
0006488409.tif 000026
【図２６】
0006488409.tif 000027
【図２７】
0006488409.tif 000028
【図２８】
0006488409.tif 000029
【図２９】
0006488409.tif 000030
【図３０】
0006488409.tif 000031
【図３１】
0006488409.tif 000032
【図３２】
0006488409.tif 000033
【図３３】
0006488409.tif 000034
【図３４】
0006488409.tif 000035
【図３５】
0006488409.tif 000036
【図３６】
0006488409.tif 000037
【図３７】
0006488409.tif 000038
【図３８】
0006488409.tif 000039
【図３９】
0006488409.tif 000040
【図４０】
0006488409.tif 000041
【図４１】
0006488409.tif 000042
【図４２】
0006488409.tif 000043
【図４３】
0006488409.tif 000044
【図４４】
0006488409.tif 000045
【図４５】
0006488409.tif 000046
【図４６】
0006488409.tif 000047
【図４７】
0006488409.tif 000048
【図４８】
0006488409.tif 000049
【図４９】
0006488409.tif 000050
【図５０】
0006488409.tif 000051
【図５１】
0006488409.tif 000052
【図５２】
0006488409.tif 000053
【図５３】
0006488409.tif 000054
【図５４】
0006488409.tif 000055
【図５５】
0006488409.tif 000056
【図５６】
0006488409.tif 000057
【図５７】
0006488409.tif 000058
【図５８】
0006488409.tif 000059
【図５９】
0006488409.tif 000060
【図６０】
0006488409.tif 000061
【図６１】
0006488409.tif 000062
【図６２】
0006488409.tif 000063
【図６３】
0006488409.tif 000064
【図６４】
0006488409.tif 000065
【図６５】
0006488409.tif 000066
【図６６】
0006488409.tif 000067
【図６７】
0006488409.tif 000068
【図６８】
0006488409.tif 000069
【図６９】
0006488409.tif 000070
【図７０】
0006488409.tif 000071
【図７１】
0006488409.tif 000072
【図７２】
0006488409.tif 000073
【図７３】
0006488409.tif 000074
【図７４】
0006488409.tif 000075
【図７５】
0006488409.tif 000076